(57)【要約】      （修正有）【課題】ロケーションサービス（ＬＣＳ）のためのメッセージ転送技術を提供する。【解決手段】モビリティ管理エンティティ（ＭＭＥ）は、ロケーションセンター（Ｅ−ＳＭＬＣ）とロケーションセッションを行い、ＵＥにＬＣＳを提供する。ＵＥは、非アクセス層（ＮＡＳ）メッセージ中でカプセル化され、基地局とＭＭＥを介して転送される、ＬＣＳ関連メッセージをＥ−ＳＭＬＣと交換して、ＬＣＳを得る。ルーティングＩＤで、ＵＥのための、ＭＭＥとＥ−ＳＭＬＣの間のロケーションセッションに、ＵＥとＭＭＥの間で交換されるメッセージを関係付けする。ＭＭＥは、ＮＡＳメッセージ中にルーティングＩＤを含めて、ＬＣＳをサポートする。ＵＥは、ＮＡＳメッセージ中に同一のルーティングＩＤを含める。ＭＭＥは、ＵＥによってＮＡＳメッセージ中に含められたルーティングＩＤに基づいて、ＵＥからのＮＡＳメッセージを、ロケーションセッションに関係付ける。【選択図】図３
2015222963.tif 000002
【特許請求の範囲】
【請求項１】
ロケーションサービスを取得する方法において、
ユーザ装置（ＵＥ）によって、長期発展型（ＬＴＥ）アクセスを介して、無線アクセスネットワーク（ＲＡＮ）と通信することと、
前記ＵＥと、モビリティ管理エンティティ（ＭＭＥ）との間で、少なくとも１つの非アクセス層（ＮＡＳ）メッセージを交換して、前記ＵＥのためのロケーションサービスに関する少なくとも１つのメッセージを転送することとを含む方法。
【請求項２】
前記ロケーションサービスに関する少なくとも１つのメッセージは、少なくとも１つのＬＴＥポジショニングプロトコル（ＬＰＰ）メッセージや、モバイル始端ロケーション要求（ＭＯ−ＬＲ）に関する少なくとも１つのメッセージや、モバイル終端ロケーション要求（ＭＴ−ＬＲ）に関する少なくとも１つのメッセージや、または、ネットワーク誘導ロケーション要求（ＮＩ−ＬＲ）に関する少なくとも１つのメッセージを含む、請求項１記載の方法。
【請求項３】
前記少なくとも１つのＮＡＳメッセージのそれぞれは、指定の値にセットされて、前記ＵＥのためのロケーションサービスに関する１つ以上のメッセージを転送するＮＡＳメッセージのそれぞれを識別するプロトコル区分（ＰＤ）フィールドを含む、請求項１記載の方法。
【請求項４】
前記少なくとも１つのＮＡＳメッセージのそれぞれは、前記ＵＥのために、前記ＭＭＥによって維持されるロケーションセッションに関係するルーティング識別子（ＩＤ）を含む、請求項１記載の方法。
【請求項５】
ロケーションサービスを取得する装置において、
ユーザ装置（ＵＥ）によって、長期発展型（ＬＴＥ）アクセスを介して、無線アクセスネットワーク（ＲＡＮ）と通信する手段と、
前記ＵＥと、モビリティ管理エンティティ（ＭＭＥ）との間で、少なくとも１つの非アクセス層（ＮＡＳ）メッセージを交換して、前記ＵＥのためのロケーションサービスに関する少なくとも１つのメッセージを転送する手段とを具備する装置。
【請求項６】
前記ロケーションサービスに関する少なくとも１つのメッセージは、少なくとも１つのＬＴＥポジショニングプロトコル（ＬＰＰ）メッセージや、モバイル始端ロケーション要求（ＭＯ−ＬＲ）に関する少なくとも１つのメッセージや、モバイル終端ロケーション要求（ＭＴ−ＬＲ）に関する少なくとも１つのメッセージや、または、ネットワーク誘導ロケーション要求（ＮＩ−ＬＲ）に関する少なくとも１つのメッセージを含む、請求項５記載の装置。
【請求項７】
前記少なくとも１つのＮＡＳメッセージのそれぞれは、前記ＵＥのために、前記ＭＭＥによって維持されるロケーションセッションに関係するルーティング識別子（ＩＤ）を含む、請求項５記載の装置。
【請求項８】
ロケーションサービスを取得する装置において、
ユーザ装置（ＵＥ）によって、長期発展型（ＬＴＥ）アクセスを介して、無線アクセスネットワーク（ＲＡＮ）と通信し、
前記ＵＥと、モビリティ管理エンティティ（ＭＭＥ）との間で、少なくとも１つの非アクセス層（ＮＡＳ）メッセージを交換して、前記ＵＥのためのロケーションサービスに関する少なくとも１つのメッセージを転送するように構成されている少なくとも１つの処理ユニットを具備する装置。
【請求項９】
前記ロケーションサービスに関する少なくとも１つのメッセージは、少なくとも１つのＬＴＥポジショニングプロトコル（ＬＰＰ）メッセージや、モバイル始端ロケーション要求（ＭＯ−ＬＲ）に関する少なくとも１つのメッセージや、モバイル終端ロケーション要求（ＭＴ−ＬＲ）に関する少なくとも１つのメッセージや、または、ネットワーク誘導ロケーション要求（ＮＩ−ＬＲ）に関する少なくとも１つのメッセージを含む、請求項８記載の装置。
【請求項１０】
前記少なくとも１つのＮＡＳメッセージのそれぞれは、前記ＵＥのために、前記ＭＭＥによって維持されるロケーションセッションに関係するルーティング識別子（ＩＤ）を含む、請求項８記載の装置。
【請求項１１】
一時的でないコンピュータ読取可能媒体を備えるコンピュータプログラム製品において、
前記一時的でないコンピュータ読取可能媒体は、
少なくとも１つのコンピュータに、ユーザ装置（ＵＥ）によって、長期発展型（ＬＴＥ）アクセスを介して、無線アクセスネットワーク（ＲＡＮ）と通信させるためのコードと、
前記少なくとも１つのコンピュータに、前記ＵＥと、モビリティ管理エンティティ（ＭＭＥ）との間で、少なくとも１つの非アクセス層（ＮＡＳ）メッセージを交換して、前記ＵＥのためのロケーションサービスに関する少なくとも１つのメッセージを転送させるためのコードとを含むコンピュータプログラム製品。
【請求項１２】
ロケーションサービスをサポートする方法において、
長期発展型（ＬＴＥ）アクセスを介して、無線アクセスネットワーク（ＲＡＮ）と通信するユーザ装置（ＵＥ）を識別することと、
モビリティ管理エンティティ（ＭＭＥ）と、前記ＵＥとの間で、少なくとも１つの非アクセス層（ＮＡＳ）メッセージを交換して、前記ＵＥのためのロケーションサービスに関する少なくとも１つのメッセージを転送することとを含む方法。
【請求項１３】
前記ロケーションサービスに関する少なくとも１つのメッセージは、少なくとも１つのＬＴＥポジショニングプロトコル（ＬＰＰ）メッセージや、モバイル始端ロケーション要求（ＭＯ−ＬＲ）に関する少なくとも１つのメッセージや、モバイル終端ロケーション要求（ＭＴ−ＬＲ）に関する少なくとも１つのメッセージや、または、ネットワーク誘導ロケーション要求（ＮＩ−ＬＲ）に関する少なくとも１つのメッセージを含む、請求項１２記載の方法。
【請求項１４】
前記少なくとも１つのＮＡＳメッセージのそれぞれは、指定の値にセットされて、前記ＵＥのためのロケーションサービスに関する１つ以上のメッセージを転送するＮＡＳメッセージのそれぞれを識別するプロトコル区分（ＰＤ）フィールドを含む、請求項１２記載の方法。
【請求項１５】
前記ＭＭＥと、発展型担当移動体ロケーションセンター（Ｅ−ＳＭＬＣ）との間のロケーションセッションに関して、前記Ｅ−ＳＭＬＣと通信して、前記ＵＥにロケーションサービスを提供することと、
前記ＭＭＥと前記ＵＥとの間の通信に、前記ＭＭＥと前記Ｅ−ＳＭＬＣとの間のロケーションセッションに関連するルーティング識別子（ＩＤ）を割り当てることと、
前記ＭＭＥと前記ＵＥとの間で交換される、前記少なくとも１つのＮＡＳメッセージのそれぞれは、前記ＭＭＥと前記Ｅ−ＳＭＬＣとの間のロケーションセッションに、ＮＡＳメッセージのそれぞれを関係付けする前記ルーティングＩＤを含む、請求項１２記載の方法。
【請求項１６】
ロケーションサービスをサポートする装置において、
長期発展型（ＬＴＥ）アクセスを介して、無線アクセスネットワーク（ＲＡＮ）と通信するユーザ装置（ＵＥ）を識別する手段と、
モビリティ管理エンティティ（ＭＭＥ）と、前記ＵＥとの間で、少なくとも１つの非アクセス層（ＮＡＳ）メッセージを交換して、前記ＵＥのためのロケーションサービスに関する少なくとも１つのメッセージを転送する手段とを具備する装置。
【請求項１７】
前記ロケーションサービスに関する少なくとも１つのメッセージは、少なくとも１つのＬＴＥポジショニングプロトコル（ＬＰＰ）メッセージや、モバイル始端ロケーション要求（ＭＯ−ＬＲ）に関する少なくとも１つのメッセージや、モバイル終端ロケーション要求（ＭＴ−ＬＲ）に関する少なくとも１つのメッセージや、または、ネットワーク誘導ロケーション要求（ＮＩ−ＬＲ）に関する少なくとも１つのメッセージを含む、請求項１６記載の装置。
【請求項１８】
前記ＭＭＥと、発展型担当移動体ロケーションセンター（Ｅ−ＳＭＬＣ）との間のロケーションセッションに関して、前記Ｅ−ＳＭＬＣと通信して、前記ＵＥにロケーションサービスを提供する手段と、
前記ＭＭＥと前記ＵＥとの間の通信に、前記ＭＭＥと前記Ｅ−ＳＭＬＣとの間のロケーションセッションに関連するルーティング識別子（ＩＤ）を割り当てる手段と、
前記ＭＭＥと前記ＵＥとの間で交換される、前記少なくとも１つのＮＡＳメッセージのそれぞれは、前記ＭＭＥと前記Ｅ−ＳＭＬＣとの間のロケーションセッションに、それぞれのＮＡＳメッセージを関係付けする前記ルーティングＩＤを含む、請求項１６記載の装置。
【請求項１９】
ロケーションサービスを取得する方法において、
第１のネットワークエンティティによって、ユーザ装置（ＵＥ）に送られた第１のメッセージを受信することと、
前記ＵＥから前記第１のネットワークエンティティに、ルーティング識別子（ＩＤ）を含む第２のメッセージを送ることとを含み、
前記第１のメッセージは、前記ＵＥにロケーションサービスを提供するために、前記第１のネットワークエンティティと、第２のネットワークエンティティとの間のロケーションセッションに関係するルーティングＩＤを含み、
前記ルーティングＩＤは、前記ＵＥによって、前記第２のメッセージ中に含められ、前記第２のメッセージを、前記第１および第２のネットワークエンティティの間のロケーションセッションに関係付けするために、前記第１のネットワークエンティティによって使用される方法。
【請求項２０】
前記ＵＥから前記第１のネットワークエンティティに対する第１のＩＤを含む、モバイル始端ロケーション要求（ＭＯ−ＬＲ）要求メッセージを送ることをさらに含み、前記ルーティングＩＤは、前記第１のＩＤに基づいて決定される、請求項１９記載の方法。
【請求項２１】
前記第１のネットワークエンティティからのモバイル終端ロケーション要求（ＭＴ−ＬＲ）に対するプライバシー通知メッセージを受信することをさらに含み、前記プライバシー通知メッセージは、前記ルーティングＩＤを含む、請求項１９記載の方法。
【請求項２２】
前記第１および第２のメッセージは、前記ＵＥのためのロケーションサービスに関する少なくとも１つのメッセージを転送する、非アクセス層（ＮＡＳ）メッセージを含む、請求項１９記載の方法。
【請求項２３】
前記第１のネットワークエンティティは、モビリティ管理エンティティ（ＭＭＥ）を含み、前記第２のネットワークエンティティは、前記発展型担当移動体ロケーションセンター（Ｅ−ＳＭＬＣ）を含む、請求項１９記載の方法。
【請求項２４】
ロケーションサービスを取得する装置において、
第１のネットワークエンティティによって、ユーザ装置（ＵＥ）に送られた第１のメッセージを受信する手段と、
前記ＵＥから前記第１のネットワークエンティティに、ルーティング識別子（ＩＤ）を含む第２のメッセージを送る手段とを具備し、
前記第１のメッセージは、前記ＵＥにロケーションサービスを提供するために、前記第１のネットワークエンティティと、第２のネットワークエンティティとの間のロケーションセッションに関係するルーティングＩＤを含み、
前記ルーティングＩＤは、前記ＵＥによって、前記第２のメッセージ中に含められ、前記第２のメッセージを、前記第１および第２のネットワークエンティティの間のロケーションセッションに関係付けするために、前記第１のネットワークエンティティによって使用される、装置。
【請求項２５】
前記ＵＥから前記第１のネットワークエンティティに対する第１のＩＤを含む、モバイル始端ロケーション要求（ＭＯ−ＬＲ）要求メッセージを送る手段をさらに具備し、前記ルーティングＩＤは、前記第１のＩＤに基づいて決定される、請求項２４記載の装置。
【請求項２６】
前記第１のネットワークエンティティからのモバイル終端ロケーション要求（ＭＴ−ＬＲ）に対するプライバシー通知メッセージを受信する手段をさらに具備し、前記プライバシー通知メッセージは、前記ルーティングＩＤを含む、請求項２４記載の装置。
【請求項２７】
ロケーションサービスをサポートする方法において、
前記第１のネットワークエンティティと、第２のネットワークエンティティとの間のロケーションセッションに関係するルーティング識別子（ＩＤ）を決定して、ユーザ装置（ＵＥ）にロケーションサービスを提供することと、
前記第１のネットワークエンティティから前記ＵＥに、前記ルーティングＩＤを含む第１のメッセージを送ることと、
前記ルーティング識別子ＩＤを含む、前記ＵＥからの第２のメッセージを、前記第１のネットワークエンティティにおいて受信することと、
前記第２のメッセージ中に含められた前記ルーティングＩＤに基づいて、前記ＵＥからの第２のメッセージを、前記第１および第２のネットワークエンティティの間のロケーションセッションに関係付けすることとを含む方法。
【請求項２８】
前記ルーティングＩＤを決定することは、前記第１のネットワークエンティティによって、前記ルーティングＩＤを割り当てることを含む、請求項２７記載の方法。
【請求項２９】
前記ルーティングＩＤを決定することは、
前記ＵＥからのモバイル始端ロケーション要求（ＭＯ−ＬＲ）に対する第１のＩＤを受信することと、
前記第１のＩＤに基づいて、前記第１のネットワークエンティティによって、ルーティングＩＤを割り当てることとを含む、請求項２７記載の方法。
【請求項３０】
モバイル終端ロケーション要求（ＭＴ−ＬＲ）に対するルーティングＩＤを含む、プライバシー通知メッセージを、前記ＵＥに送ることをさらに含む、請求項２７記載の方法。
【請求項３１】
前記ロケーションセッションに関して、前記第２のネットワークエンティティによって、前記第１のネットワークエンティティに対して送られた第３のメッセージを受信することと、
前記ロケーションセッションに関して、前記第１のネットワークエンティティから、前記第２のネットワークエンティティに対して、第４のメッセージを送ることとをさらに含み、
前記第１のメッセージは、前記第３のメッセージの受信に応答して送られ、前記第４のメッセージは、前記第２のメッセージの受信に応答して送られる、請求項２７記載の方法。
【請求項３２】
前記第１および第２のネットワークエンティティの間で交換される、前記第３および第４のメッセージは、前記ロケーションセッションに関係する別のＩＤまたはルーティングＩＤのいずれかを含む、請求項３１記載の方法。
【請求項３３】
前記第１のネットワークエンティティは、モビリティ管理エンティティ（ＭＭＥ）を含み、前記第２のネットワークエンティティは、発展型担当移動体ロケーションセンター（Ｅ−ＳＭＬＣ）を含む、請求項２７記載の方法。
【請求項３４】
前記第１および第２のメッセージは、前記ＵＥのためのロケーションサービスに関する少なくとも１つのメッセージを転送する非アクセス層（ＮＡＳ）メッセージを含む、請求項２７記載の方法。
【請求項３５】
ロケーションサービスをサポートする装置において、
前記第１のネットワークエンティティと、第２のネットワークエンティティとの間のロケーションセッションに関係するルーティングＩＤを決定して、ユーザ装置（ＵＥ）にロケーションサービスを提供する手段と、
前記第１のネットワークエンティティから前記ＵＥに、前記ルーティングＩＤを含む第１のメッセージを送る手段と、
ルーティング識別子（ＩＤ）を含む、前記ＵＥからの第２のメッセージを、前記第１のネットワークエンティティにおいて受信する手段と、
前記第２のメッセージ中に含められた前記ルーティングＩＤに基づいて、前記ＵＥからの第２のメッセージを、前記第１および第２のネットワークエンティティの間のロケーションセッションに関係付けする手段とを具備する装置。
【請求項３６】
前記ルーティングＩＤを決定する手段は、前記第１のネットワークエンティティによって、前記ルーティングＩＤを割り当てる手段を備える、請求項３５記載の装置。
【請求項３７】
前記ルーティングＩＤを決定する手段は、
前記ＵＥからのモバイル始端ロケーション要求（ＭＯ−ＬＲ）に対する第１のＩＤを受信する手段と、
前記第１のＩＤに基づいて、前記第１のネットワークエンティティによって、ルーティングＩＤを割り当てる手段とを備える、請求項３５記載の装置。
【請求項３８】
モバイル終端ロケーション要求（ＭＴ−ＬＲ）に対するルーティングＩＤを含む、プライバシー通知メッセージを、前記ＵＥに送る手段をさらに具備する、請求項３５記載の装置。
【請求項３９】
前記ロケーションセッションに関して、前記第２のネットワークエンティティによって、前記第１のネットワークエンティティに対して送られた第３のメッセージを受信する手段と、
前記ロケーションセッションに関して、前記第１のネットワークエンティティから、前記第２のネットワークエンティティに対して、第４のメッセージを送る手段とをさらに具備し、
前記第１のメッセージは、前記第３のメッセージの受信に応答して送られ、前記第４のメッセージは、前記第２のメッセージの受信に応答して送られる、請求項３５記載の装置。
【発明の詳細な説明】
【米国法第３５部第１１９条の下での優先権主張】
【０００１】
本特許出願は、２００９年６月２２日に出願され、「ＬＴＥのためのＬＣＳアーキテクチャ」と題された、米国仮出願シリアル番号第６１／２１９，３７６号と、２００９年８月２４日に出願され、「ＬＴＥアクセスのためのＬＣＳ関連メッセージの転送」と題された、米国仮出願シリアル番号第６１／２３６，５０１号とに対して優先権を主張し、これらの両方は、本譲受人に譲渡され、ここで参照により明示的に組み込まれている。
【分野】
【０００２】
本開示は、一般的に通信に関連し、より詳細には、ワイヤレスネットワークの中でロケーションサービス（ＬＣＳ）をサポートするための技術に関連する。
【背景】
【０００３】
ユーザ装置（ＵＥ）、例えば、セルラ電話機のロケーションを知ることが望ましいことが多く、また、必要なときもある。「ロケーション」、「ポジション」という用語は同義語で、ここで相互交換可能に使用される。例えば、ＬＣＳクライアントは、ＵＥのロケーションを知ることを望んでもよく、端末のロケーションを要求するためにロケーションセンターと通信してもよい。ロケーションセンターおよびＵＥは、必要に応じてメッセージを交換して、ＵＥのロケーション推定を得てもよい。ロケーションセンターは、ＬＣＳクライアントにロケーション推定を戻してもよい。
【０００４】
ロケーションセンターおよびＵＥは、１つ以上のネットワークエンティティを介して、ロケーションサービスに関するメッセージを交換してもよい。ロケーションサービスのためにメッセージを効率的にルーティングすることが望ましいだろう。
【概要】
【０００５】
ロケーションサービス（または、ＬＣＳ関連のメッセージ）のためにメッセージを転送するための技術を、ここに記述する。モビリティ管理エンティティ（ＭＭＥ）は、ロケーションセンター（例えば、発展型担当移動体ロケーションセンター（Ｅ−ＳＭＬＣ））とともに、ロケーションセッションを行って、ＵＥにロケーションサービスを提供してもよい。ＵＥは、Ｅ−ＳＭＬＣとともに、ＬＣＳ関連のメッセージを交換して、ロケーションサービスを得てもよい。ＬＣＳ関連のメッセージは、ＭＭＥと基地局のような他のネットワークエンティティを介して転送されてもよい。
【０００６】
１つの観点では、ＵＥとＥ−ＳＭＬＣの間で交換されたＬＣＳ関連のメッセージは、非アクセス層（ＮＡＳ）メッセージ中でカプセル化され、基地局とＭＭＥを介して転送されてもよい。ＬＣＳ関連のメッセージを転送するのに、ＮＡＳメッセージを使用することは、基地局、ＭＭＥ、および、ＵＥの動作を単純化させる。
【０００７】
別の観点では、ルーティング識別子（ＩＤ）を使用して、ＵＥのための、ＭＭＥとＥ−ＳＭＬＣの間のロケーションセッションに、ＵＥとＭＭＥの間で交換されるメッセージを関係付けしてもよい。ＭＭＥは、ＵＥに送られるそれぞれのＮＡＳメッセージ中に、ルーティングＩＤを含めて、ＵＥのためのロケーションサービスをサポートする。ＵＥは、ＭＭＥに送られる、それぞれのＮＡＳメッセージ中に同一のルーティングＩＤを含めて、ロケーションサービスを取得する。ＭＭＥは、ＵＥによってＮＡＳメッセージ中に含められたルーティングＩＤに基づいて、ＵＥから受信されたＮＡＳメッセージのそれぞれを、ＭＭＥとＥ−ＳＭＬＣの間のロケーションセッションに関係付けできる。ルーティングＩＤの使用は、さまざまな理由で有益であり、特に、ＭＭＥとＵＥの間で交換されたメッセージの状態情報を、ＭＭＥが維持しなくてもよいので、有益である。
【０００８】
開示のさまざまな観点および特徴を、以下でより詳細に記述する。
【図面の簡単な説明】
【０００９】
【図１】図１は、ワイヤレスネットワークのブロック図を図示する。
【図２】図２は、ワイヤレスネットワークの中のさまざまなエンティティにおける、例示的なプロトコルスタックを図示する。
【図３】図３は、ＵＥにロケーションサービスを提供するための通話フローを図示する。
【図４】図４は、ＮＡＳメッセージを使用して、異なる機能のためにメッセージを転送することを図示する。
【図５】図５は、ロケーションサービスに関するＮＡＳメッセージを交換するために、ＵＥとＭＭＥそれぞれによって、行なわれるプロセスを図示する。
【図６】図６は、ロケーションサービスに関するＮＡＳメッセージを交換するために、ＵＥとＭＭＥそれぞれによって、行なわれるプロセスを図示する。
【図７】図７は、ルーティングＩＤを使用して、ロケーションサービスに関するメッセージを交換するために、ＵＥとＭＭＥによって行なわれるプロセスをそれぞれ図示する。
【図８】図８は、ルーティングＩＤを使用して、ロケーションサービスに関するメッセージを交換するために、ＵＥとＭＭＥによって行なわれるプロセスをそれぞれ図示する。
【図９】図９は、図１中のさまざまなエンティティのブロック図を図示する。
【発明の詳細な説明】
【００１０】
ＬＣＳ関連のメッセージの転送に関して、ここで記述する技術は、「第３世代パートナーシッププロジェクト」（３ＧＰＰ）および「第３世代パートナーシッププロジェクト２」（３ＧＰＰ２）と称される組織によって規定されたものを含むさまざまなワイヤレスネットワークおよび無線技術に対して使用してもよい。例えば、技術は、３ＧＰＰによって規定された、発展型ユニバーサル地上無線アクセス（Ｅ−ＵＴＲＡ）を実現する長期発展型（ＬＴＥ）ネットワークに使用されてもよい。ＬＴＥは３ＧＰＰ発展型パケットシステム（ＥＰＳ）の一部である。ＬＴＥ、Ｅ−ＵＴＲＡ、および、ＥＰＳは、３ＧＰＰからの文書に記述されている。技術はまた、他のワイヤレスネットワーク、および、他の無線技術に使用されてもよい。
【００１１】
ここに記述する技術はまた、ロケーションサービスをサポートすることができる、さまざまな制御プレーンロケーションソリューションまたはアーキテクチャに対して使用されてもよい。ロケーションサービスは、ロケーション情報に基づいた、または、ロケーション情報に関連する、任意のサービスを指す。ロケーション情報は、ＵＥ（例えば、ロケーション推定、測定など）のロケーションに関連する任意の情報を含んでいてもよい。ロケーションサービスは、ポジショニングを含んでいてもよく、これは、ターゲットＵＥの地理的ロケーションを決定する機能を指す。制御プレーンロケーションソリューションでは、ロケーションサービスをサポートするメッセージは、典型的に、ネットワークに特有のプロトコル、インタフェース、および、シグナリングメッセージで、さまざまなネットワークエンティティ間で転送される、シグナリングの一部として運ばれてもよい。いくつかの制御プレーンロケーションソリューションは、（ｉ）３ＧＰＰからの、３ＧＰＰ ＴＳ
２３．２７１、ＴＳ  ４３．０５９、ＴＳ  ２５．３０５、および、ＴＳ  ３６．３０５と、（ｉｉ）３ＧＰＰ２からのＩＳ−８８１、および、Ｘ．Ｓ０００２とを含む。
【００１２】
ここに記述された技術はまた、（ｉ）３ＧＰＰによって規定された、ＬＴＥポジショニングプロトコル（ＬＰＰ）、無線通信リソースＬＣＳプロトコル（ＲＲＬＰ）、および、無線通信リソースコントロール（ＲＲＣ）と、（ｉｉ）３ＧＰＰ２によって規定された、Ｃ．Ｓ００２２（ＩＳ−８０１としても知られている）とのような、さまざまなポジショニングプロトコルに使用してもよい。ポジショニングプロトコルは、ＵＥのポジショニングを調整し、制御するために使用されてもよい。ポジショニングプロトコルは、（ｉ）ロケーションセンターと、位置得定されているＵＥによって実行されてもよい手続と、（ｉｉ）ＵＥとロケーションセンターの間のコミュニケーションまたはシグナリングとを規定してもよい。
【００１３】
明瞭さのために、技術のさまざまな観点を、制御プレーンロケーションソリューションおよびＬＰＰを利用するＬＴＥネットワークの中でロケーションサービスをサポートすることに関して、以下で述べる。さらに、明瞭さのために、以下の説明の多くの中でＬＴＥ用語を使用する。
【００１４】
図１は、ワイヤレスネットワーク１００のブロック図を図示し、これは、ＬＴＥネットワークまたは他の何らかのワイヤレスネットワークであってもよい。ＵＥ１１０は、無線アクセスネットワーク（ＲＡＮ）中のｅＮＢ １２０と通信して、通信サービスを得てもよい。ＲＡＮは、簡潔さのために図１に示されていない、他のネットワークエンティティを含んでいてもよく、発展型ユニバーサル地上無線アクセスネットワーク（Ｅ−ＵＴＲＡＮ）と呼ばれてもよい。ｅＮＢ １２０はまた、基地局、ノードＢ、アクセスポイント等として呼ばれてもよい。ＵＥ １１０はまた、移動局、端末、アクセス端末、加入者ユニット、ステーション等として呼ばれてもよい。ＵＥ １１０は、携帯電話、携帯情報端末（ＰＤＡ）、ワイヤレスデバイス、無線モデム、無線ルータ、ラップトップコンピュータ、遠隔測定装置、追跡装置等であってもよい。
【００１５】
ＵＥ １１０はまた、１つ以上の衛星１７０から信号を受信し、測定してもよく、衛星に対する擬似距離測定値を得てもよい。衛星１７０は衛星ポジショニングシステム（ＳＰＳ）の一部であってもよく、これは、アメリカグローバルポジショニングシステム（ＧＰＳ）、ヨーロッパのガリレオシステム、ロシアのＧＬＯＮＡＳＳシステム、または、他の何らかのＳＰＳであってもよい。ＵＥ １１０はまた、ｅＮＢからの信号を測定し、ｅＮＢに対する、時間測定値、信号強度測定値、信号品質測定値、および／または、識別情報を得てもよい。測定値、および／または、識別情報は、ＵＥ １１０のためにロケーション推定を導出するために使用されてもよい。ロケーション推定はまた、ポジション推定、ポジション定点等として呼ばれてもよい。
【００１６】
ｅＮＢ１２０は、ＭＭＥ １３０と通信してもよく、ＭＭＥ １３０は、モビリティ管理、ゲートウェイ選択、認証、ベアラ管理等のような、さまざまな制御機能を実行してもよい。ＭＭＥ １３０は、Ｅ−ＳＭＬＣ １４０、および簡潔さのために図１に示されない、他のネットワークエンティティと通信してもよい。Ｅ−ＳＭＬＣ １４０は、ＵＥに基づいている、ＵＥサポートされている、ネットワークに基づいている、および／または、ネットワークサポートされた、ポジショニング方法をサポートしてもよく、１つ以上のＭＭＥをサポートしてもよい。Ｅ−ＳＭＬＣ １４０は、（ｉ）ＵＥ １１０および／またはｅＮＢ １２０によって提供される測定値から、ＵＥ １１０のロケーション推定を計算すること、（ｉｉ）ＵＥ １１０に支援データを提供することのような、ロケーションサービスをサポートするさまざまな機能を実行してもよい。Ｅ−ＳＭＬＣ １４０はまた、ロケーションセンター、ロケーションサーバ、ポジショニングセンター、スタンドアロンのＳＭＬＣ（ＳＡＳ）、ポジション決定エンティティ（ＰＤＥ）等として呼ばれてもよい。ゲートウェイモバイルロケーションセンター（ＧＭＬＣ）１５０は、ロケーションサービスをサポートしてもよく、外部ＬＣＳクライアント（例えば、ＬＣＳクライアント１６０）とインタフェースしてもよく、および、加入者プライバシー、認可、認証、支払請求などのようなサービスを提供してもよい。
【００１７】
ＬＣＳクライアント１６０は、ＵＥ １１０のロケーション情報を望むエンティティであってもよく、位置情報を得るためにＧＭＬＣ１５０と通信してもよい。図１に示したように、ＬＣＳクライアント１６０は、ＵＥ １１０の外部にあってもよい。ＵＥ １１０はまた、（図１に示していない）ＵＥの内部に駐在するＬＣＳクライアントを持っていてもよい。
【００１８】
図１は、ワイヤレスネットワーク１００中で、ロケーションサービスをサポートすることができる、いくつかのネットワークエンティティを図示する。ワイヤレスネットワーク１００は、ロケーションサービスをサポートするための、異なるネットワークエンティティ、および／または、追加のネットワークエンティティを含んでいてもよい。ワイヤレスネットワーク１００はまた、他のサービスを提供することができ、他の機能をサポートすることができる、他のネットワークエンティティを含んでもよい。
【００１９】
図２は、ロケーションサービスのためにＵＥ １１０とＥ−ＳＭＬＣ １４０の間で通信するために、ＵＥ １１０、ｅＮＢ １２０、ＭＭＥ １３０、および、Ｅ−ＳＭＬＣ １４０における、例示的なプロトコルスタックを図示する。ＵＥ １１０は、ＬＰＰを使用して、Ｅ−ＳＭＬＣ １４０と通信してもよい。ＵＥ １１０において、ＬＰＰは、ＮＡＳ、無線通信リソース制御（ＲＲＣ）、パケットデータコンバージェンスプロトコル（ＰＤＣＰ）、無線リンク制御（ＲＬＣ）、メディアアクセス制御（ＭＡＣ）およびｅ−ＵＴＲＡ無線リンク上で動作してもよい。ｅＮＢ １２０は、ＲＲＣ、ＰＤＣＰ、ＲＬＣ、ＭＡＣ、および、ｅ-ＵＴＲＡ無線リンクを介して、ＵＥ １１０と通信してもよい。ｅＮＢ １２０は、さらにＳｌ応用プロトコル（Ｓ１−ＡＰ）、ストリーム制御転送プロトコル（ＳＣＴＰ）、インターネットプロトコル（ＩＰ）、および、適切なレイヤ２（Ｌ２）およびレイヤ１（Ｌ１）プロトコルを介して、ＭＭＥ １３０と通信してもよい。ＭＭＥ １３０は、Ｅ−ＬＣＳ応用プロトコル（ＬＣＳ-ＡＰ）によるＳＭＬＣ、ＳＣＴＰ、ＩＰ １４０、Ｌ２、そして、Ｌ１で通信してもよい。
【００２０】
ＬＴＥに関し、ＭＡＣは、３ＧＰＰ ＴＳ ３６.３２１中で記述されており、ＲＬＣは、３ＧＰＰ ＴＳ ３６.３２２で記述されており、ＰＤＣＰは３ＧＰＰ ＴＳ ３６.３２３で記述されており、ＲＲＣは３ＧＰＰ  ＴＳ ３６.３３１で記述されている。また、Ｓ１−ＡＰは、３ＧＰＰ ＴＳ ３６.４１３に述べられている。ＳＣＴＰは、ＲＦＣ ２９６０に述べられている。また、ＩＰはＲＦＣ ７９１および２４６０に述べられている。３ＧＰＰ ＴＳ文書は、３ＧＰＰから公に利用可能である。ＲＦＣ文書は、インターネット・エンジニアリング・タスク・フォース（ＩＥＴＦ）から公に利用可能である。
【００２１】
ＵＥ １１０は、ロケーションサービスのために、Ｅ−ＳＭＬＣ １４０とＬＰＰメッセージを交換（例えば、送信および／または受信）してもよい。例えば、ｅＮＢ １２０およびＭＭＥ １３０のようなネットワークエンティティに対する影響を減少させるために、これらのネットワークエンティティを介して、ＵＥ １１０とＥ−ＳＭＬＣ １４０の間のＬＰＰメッセージをできるだけ効率的に転送することが望ましいだろう。
【００２２】
１つの観点では、ＵＥ １１０とＥ−ＳＭＬＣ １４０の間で交換された、ロケーションサービスに関するメッセージ（例えば、ＬＰＰメッセージ）は、ＮＡＳメッセージ中でカプセル化され、ｅＮＢ １２０およびＭＭＥ １３０のようなネットワークエンティティを介して転送されてもよい。ＮＡＳメッセージを使用して、ＭＭＥ １３０とＵＥ １１０の間で交換される、ＥＰＳモビリティ管理（ＥＭＭ）メッセージおよびＥＰＳセッション管理（ＥＳＭ）メッセージを転送してもよい。ＮＡＳの機能性はＬＣＳ関連のメッセージの転送をサポートするように拡張されてもよい。
【００２３】
図２に示すように、ＬＣＳ関連のメッセージ（例えば、ＬＰＰメッセージ）は、ＵＥ１１０とＥ−ＳＭＬＣ １４０の間で交換されてもよい。ＬＣＳ関連のメッセージは、ＵＥ １１０とＭＭＥ １３０の間での転送のためにＮＡＳメッセージ中でカプセル化されてもよい。ＮＡＳメッセージは、図２中のエンティティに対して示したプロトコルを使用して、ＵＥ １１０とｅＮＢ １２０の間での転送に対して、ＲＲＣメッセージ中でさらにカプセル化されてもよい。ＮＡＳメッセージはまた、図２中のエンティティに対して示したプロトコルを使用して、ｅＮＢ １２０とＭＭＥ １３０の間での転送に対して、（Ｓ１−ＡＰのためにメッセージである）Ｓ１−ＡＰ ＮＡＳ転送メッセージ中でカプセル化されてもよい。ＬＣＳ関連のメッセージは、図２中のエンティティに対して示したプロトコルを使用して、ＭＭＥ １３０とＥ−ＳＭＬＣ １４０の間での転送に対して、ＬＣＳ-ＡＰメッセージ中でカプセル化されてもよい。
【００２４】
ＵＥ １１０とＭＭＥ １３０の間のＮＡＳメッセージの内部のＬＣＳ関連のメッセージ（例えば、ＬＰＰメッセージ）の転送は、何らかの代替プロトコルを使用するより効率的であってもよく、例えば、より少ない実装、より少ないテスト、および／または、より少ないシグナリングしか要求しなくてもよい。モビリティ管理およびセッション管理に関連するメッセージを転送するために、ＭＭＥ １３０とＵＥ １１０の間でＮＡＳが使用される。ＬＣＳ関連のメッセージを転送するためにＮＡＳを拡張することは、既存のプロトコルを再使用することになり、新しいプロトコルの規定、実装、および、テストを要求しないだろう。さらに、ＮＡＳメッセージの内部でＬＣＳ関連のメッセージを転送することは、（ＥＭＭおよびＥＳＭメッセージを転送するための、ｅＮＢ １２０に対する現在の影響を超えた）ｅＮＢ １２０に対する追加の影響を付加しないだろう。
【００２５】
図３は、ＵＥ１１０にロケーションサービスを提供するための通話フロー３００の設計を図示する。通話フロー３００は、ロケーションサービスを要求するために、ＵＥ １１０によって開始されてもよい、モバイル始端ロケーション要求（ＭＯ−ＬＲ）手続の一部であってもよい。通話フロー３００はまた、例えば、ＬＣＳクライアント１６０からのロケーション要求に応じて、ＵＥ １１０にロケーションサービスを提供するために、ネットワークエンティティ（例えば、ＧＭＬＣ １５０）によって開始されてもよい、モバイル終端ロケーション要求（ＭＴ−ＬＲ）手続の一部であってもよい。通話フロー３００はまた、内部ネットワーク理由のためのロケーションサービスを提供するために、例えば、ＵＥ １１０からの緊急通報をサポートするために、ＭＭＥ １３０によって開始されてもよい、ネットワーク誘導ロケーション要求（ＮＩ−ＬＲ）手続の一部であってもよい。通話フロー３００を使用して、ＵＥベースのポジショニング、ＵＥに支援されたポジショニング、ＵＥ １１０への支援データの配信、等をサポートしてもよい。
【００２６】
ＭＭＥ １３０は、ＵＥ １１０にロケーションサービスを提供するために、Ｅ−ＳＭＬＣ １４０とロケーションセッションを行ってもよく、このロケーションセッションの状態情報を維持してもよい。ＭＭＥ １３０は、相関ＩＤを割り当ててもよく、相関ＩＤを使用して、ＭＭＥ １３０とＥ−ＳＭＬＣ １４０の間でロケーションセッションのために交換されたメッセージを識別する。Ｅ−ＳＭＬＣ １４０およびＵＥ １１０は、ロケーションセッションの間に、ＭＭＥ １３０を介して、ＬＣＳ関連のメッセージを交換して、ＵＥ １１０にロケーションサービスを提供してもよい。しかしながら、ＭＭＥ １３０は、ＵＥ １１０との通信のための状態情報を、何ら記憶しなくてもよい。
【００２７】
１つの観点では、ＭＭＥ １３０は、ルーティングＩＤを割り当ててもよく、ルーティングＩＤを使用して、ＭＭＥ １３０とＵＥ １１０の間で交換されたメッセージを、ＭＭＥ １３０およびＥ−ＳＭＬＣ １４０の間のロケーションセッションに関係付けしてもよい。ルーティングＩＤもまた、セッションＩＤ等と呼ばれてもよい。ルーティングＩＤを使用して、ＭＭＥ １３０とＵＥ １１０の間で交換された、メッセージを識別してもよい一方で、相関ＩＤを使用して、ＵＥ １１０のためのロケーションサービスのために、ＭＭＥ １３０とＥ−ＳＭＬＣ １４０の間で交換されたメッセージを識別してもよい。相関ＩＤおよびルーティングＩＤの両方は、ＵＥ １１０のためのロケーション手続（例えば、ＭＯ−ＬＲ、ＭＴ−ＬＲ、または、ＮＩ−ＬＲ）向けであってもよく、互いに関係付けられてもよい。例えば、ルーティングＩＤは、相関ＩＤと同じであってもよく、または、ルーティングＩＤの一部として、相関ＩＤのすべてもしくは部分を含んでいてもよい。代替として、ルーティングＩＤは、相関ＩＤの値との関係を何ら持たないものの、索引付け（例えば、相関ＩＤまたはルーティングＩＤは、他のＩＤの値を提供してもよいテーブル中へのインデックスとして使用されてもよく）、あるいは、他の形式のデータマッピング（例えば、ハッシュ表、記憶アドレスポインタ等）を使用して、相関ＩＤと関係付けられてもよい。ＭＭＥ １３０は、ＵＥ １１０のために、ルーティングＩＤと相関ＩＤの間のこの関係付け／対応を維持してもよい。
【００２８】
Ｅ−ＳＭＬＣ １４０は、ＵＥ １１０にロケーションサービスを提供する必要があってもよく、および／または、ＵＥ １１０のロケーションを得る必要があってもよい。Ｅ−ＳＭＬＣ １４０は、Ｅ−ＳＭＬＣ １４０とＭＭＥ １３０の間のロケーションセッションに対する相関ＩＤを決定してもよい。相関ＩＤは、図３に示していない初期のトランザクションを介して、ＭＭＥ １３０によって割り当てられてもよい（例えば、ＵＥ １１０に対するロケーションセッションが、ＭＭＥ １３０により、Ｅ−ＳＭＬＣ １４０と最初に始められるときに、ＭＭＥ １３０によって割り当てられてもよい）。ロケーションセッションの主な目的は、ＵＥ １１０に対して、ロケーションサービスを提供することであってもよい。したがって、ロケーションセッションに対する相関ＩＤは、ＵＥ １１０に関係していてもよい。Ｅ−ＳＭＬＣ １４０は、相関ＩＤを運ぶＬＣＳ-ＡＰプロトコルデータユニット（ＰＤＵ）と、ＭＭＥ １３０への１つ以上のＬＰＰメッセージとを送ってもよい（ステップ１）。ＬＰＰメッセージは、ＵＥ １１０からの位置情報を要求してもよく、ＵＥ １１０への支援データを提供してもよく、ＵＥ １１０の機能等を問い合わせてもよい。
【００２９】
ＭＭＥ １３０は、Ｅ−ＳＭＬＣ １４０からＬＣＳ−ＡＰ ＰＤＵを受信してもよく、ＬＣＳ−ＡＰ ＰＤＵから、相関ＩＤおよびＬＰＰメッセージを抽出してもよい。ＭＭＥ１３０は、Ｅ−ＳＭＬＣ １４０から受信された、ＬＰＰメッセージ、プロトコル弁別器（ＰＤ）、および、ルーティングＩＤを含む、ＮＡＳメッセージを生成してもよい。ＰＤを使用して、ＮＡＳメッセージが、ＥＭＭメッセージまたはＥＳＭメッセージではなく、ＬＣＳ関連のメッセージを運んでいることを示してもよい。３ＧＰＰ ＴＳ ２４.３０１およびＴＳ ２４.００７の中で規定されるように、ＮＡＳメッセージは例示的にはＥＭＭとＥＳＭのメッセージに対する別のＰＤ値を含む。しかしながら、ＬＣＳ関連のメッセージを運ぶＮＡＳメッセージに使用されたＰＤ値は、ＥＭＭとＥＳＭのメッセージを運ぶのに使用されたＰＤ値と異なってもいてよく、これによって、受信機（例えば、ＵＥ １１０、または、ｅＮＢ １２０）に、ＬＣＳ関連のメッセージが転送されていることを示している。ＬＣＳ関連のメッセージもまた、他の方法で、ＥＭＭメッセージとＥＳＭメッセージから区別されてもよい。ＭＭＥ １３０は、ｅＮＢ １２０へのＮＡＳメッセージを運ぶＳ１−ＡＰ ＮＡＳ転送メッセージを送信してもよい（ステップ２）。ｅＮＢ １２０は、ＭＭＥ １３０からＳ１−ＡＰ ＮＡＳ転送メッセージを受信してもよく、ＮＡＳメッセージを抽出してもよい。次に、ｅＮＢ １２０は、ＵＥ １１０へのＮＡＳメッセージを運ぶＲＲＣダウンリンク（ＤＬ）情報転送メッセージを送信してもよい（ステップ３）。
【００３０】
ＵＥ １１０は、ｅＮＢ １２０からＲＲＣダウンリンク情報転送メッセージを受信してもよく、ＮＡＳメッセージを抽出してもよい。ＵＥ １１０は、ＮＡＳメッセージから、ＰＤ、ルーティングＩＤ、および、ＬＰＰメッセージをさらに抽出してもよい。ＵＥ １１０は、ＬＰＰメッセージ中で提供される何らかの支援データも記憶してもよく、ＬＰＰメッセージによって要求された、何らかのポジショニング測定、および／または、ロケーション計算も行なってもよい （ステップ４）。
【００３１】
ＵＥ １１０は１つ以上のＬＰＰメッセージを生成してもよく、ＬＰＰメッセージは、ステップ４で取得された、何らかのロケーション情報や、Ｅ−ＳＭＬＣ １４０によって要求された何らかのＵＥ機能や、さらなる支援データに対する要求や、および／または、他の情報を含んでもよい。ＵＥ １１０は、ステップ３で受信された、ＰＤおよびルーティングＩＤと、ＵＥ １１０によって生成されたＬＰＰメッセージとを含む、ＮＡＳメッセージを生成してもよい。ＭＭＥ １３０によってＰＤを使用して、ＬＣＳ関連のメッセージと、ＥＭＭメッセージと、ＥＳＭメッセージとを区別してもよい。ＭＭＥ １３０によってルーティングＩＤを使用して、ＵＥ １１０のためのＭＭＥ １３０とＥ−ＳＭＬＣ１４０との間のロケーションセッションに、ＵＥ １１０からのＮＡＳメッセージを関係付けてもよい。ＵＥ １１０は、ｅＮＢ １２０へのＮＡＳメッセージを運ぶ、ＲＲＣアップリンク（ＵＬ）情報転送メッセージを送信してもよい（ステップ５）。
【００３２】
ｅＮＢ １２０は、ＵＥ １１０からＲＲＣアップリンク情報転送メッセージを受信して、ＮＡＳメッセージを抽出してもよく、ＮＡＳメッセージを含む、Ｓ１−ＡＰ ＮＡＳ転送メッセージを生成してもよい。ｅＮＢ １２０は、ＭＭＥ １３０にＳ１−ＡＰ ＮＡＳ転送メッセージを送信してもよい（ステップ６）。ＭＭＥ １３０は、ｅＮＢ １２０からＳ１−ＡＰ ＮＡＳ転送メッセージを受信し、ＮＡＳメッセージを抽出してもよい。ＭＭＥ １３０は、ＮＡＳメッセージから、ＰＤ、ルーティングＩＤ、および、ＬＰＰメッセージをさらに抽出してもよい。ＭＭＥ １３０は、ルーティングＩＤに基づいて、ＬＰＰメッセージが、ＭＭＥ １３０とＥ−ＳＭＬＣ １４０の間のロケーションセッションに関係付けられていることを決定してもよい。ＭＭＥ １３０は、ｅＮＢ １２０から受信されたＮＡＳメッセージから得られた、ＬＰＰメッセージとともにルーティングＩＤに関係付けられた相関ＩＤを含む、ＬＣＳ-ＡＰ ＰＤＵを生成してもよい。ＭＭＥ １３０は、Ｅ−ＳＭＬＣ １４０に対して、ＬＣＳ-ＡＰ ＰＤＵを送ってもよい（ステップ７）。ＵＥ１１０が、ステップ３で受信した要求に応答するための多数のＬＰＰメッセージを送信する必要がある場合、ステップ５から７を繰り返してもよい。ＵＥ機能などをさらに要求するために、さらなるロケーション情報を要求するために、新しい支援データを送信するために、ステップ１から７を繰り返してもよい。
【００３３】
図３に示したように、ルーティングＩＤは、ＭＭＥ １３０が、ＭＭＥ １３０とＵＥ１１０の間で交換されたＬＣＳ関連のメッセージを、ＵＥ １１０のための、ＭＭＥ １３０とＥ−ＳＭＬＣ １４０の間のロケーションセッションに、関係付けることを可能にしてもよい。このような関係付けは、ＵＥ １１０に転送されたＬＰＰメッセージに関係付けられた状態情報を保存することを、ＭＭＥ １３０に要求しなくてもよく、例えば、ＭＭＥ １３０は、図３のステップ１および２に特に関係付けられた情報を、記憶する必要がなくてもよい。これは、ＭＭＥ １３０の設計および実施を単純化する。ルーティングＩＤはまた、ＵＥ １１０が、ＭＭＥ １３０から受信されたＬＣＳ関連のメッセージを、ＵＥ １１０に知られているＭＯ−ＬＲに関係付けることを可能にしてもよく、このことは、プライバシーの問題を回避する。ルーティングＩＤの使用は、ＭＯ−ＬＲおよびＭＴ−ＬＲの両方にとって有益であり、ＬＣＳ関連のメッセージが、ＵＥ １１０からの前のＭＯ−ＬＲ要求に、または、ＵＥ １１０によるＭＴ−ＬＲプライバシー対話に、明示的に関係付けられることを可能にする。
【００３４】
ＭＯ−ＬＲに関する１つの設計では、ＵＥ １１０は、ＭＯ−ＬＲに対して、ＩＤ（例えば、ＩＤ Ｘ）を割り当てして、ＭＭＥ １３０に送信されるＭＯ−ＬＲ要求メッセージに、ＩＤ Ｘを含めることで、ＭＯ−ＬＲを始端させてもよい。ＭＯ−ＬＲ要求メッセージは、ＵＥ １１０のロケーションを要求してもよく、または、ＵＥ １１０が、引き続いて自身のロケーションを得ることを可能にするための支援データを要求してもよい。ＭＯ−ＬＲ要求メッセージは、ＬＣＳ ＮＡＳプロトコルの一部であってもよい（例えば、ＬＰＰメッセージを転送するのに使用されたＰＤ値と同じＰＤ値、または、ＬＰＰメッセージを転送するのに使用されたＰＤ値とは異なるＰＤ値を用いてもよい）。ＭＭＥ １３０は、ＵＥ １１０のロケーションを得るために、Ｅ−ＳＭＬＣ １４０とのロケーションセッションを引き起こしてもよい。ロケーション情報を得るために（例えば、衛星測定値を得るために）、Ｅ−ＳＭＬＣ １４０が、後でＵＥ １１０に、ＬＣＳ関連のメッセージ（例えば、ＬＰＰメッセージ）を送信する場合、ＭＭＥ １３０は、ＵＥ １１０に対するＬＣＳ関連のメッセージを運ぶ、各ＮＡＳメッセージにＩＤ Ｘを含めてもよい。一般的に、ＭＭＥ １３０は、ＵＥ １１０に対してＬＣＳ関連のメッセージを転送するために送信される何らかの後続するＮＡＳメッセージに、ＩＤ Ｘを含めてもよい。ＩＤ Ｘが、ＬＣＳ関連のメッセージとともに送られるので、ＵＥ １１０は、ＬＣＳ関連のメッセージが、ＵＥ １１０によって始端されたＭＯ−ＬＲ用であることを知るだろう。ＵＥ １１０（および、ユーザ）は、ＬＣＳ関連のメッセージに関係付けられているトランザクションが、既に認可されていることを知ることができる。ＭＯ−ＬＲに関して、ＵＥ １１０によって割り当てられたＩＤ Ｘを使用することは、このように、何らかのレベルのセキュリティを提供して、プライバシー問題を緩和する。
【００３５】
ＭＯ−ＬＲに対して、ＵＥ １１０によって選ばれたＩＤ Ｘは、ＭＭＥ １３０の内で、一意的ではないかもしれない。一意的なＩＤは、さまざまな方法でＵＥ １１０に保証されてもよい。１つの設計では、ＩＤ Ｘは、一意性を保証する１組の規則に基づいて、ＵＥ １１０によって選択されてもよく、次に、ルーティングＩＤとして使用されてもよい。別の設計では、ＵＥ １１０によって選ばれたＩＤ Ｘは、一意性を保証するためにＭＭＥ １３０によって割り当てられた別のＩＤと結合されてもよく、また、２つのＩＤの組合せはルーティングＩＤとして使用されてもよい。ルーティングＩＤが、ＭＭＥ １３０によって割り当てられたＩＤに、ＵＥ １１０によって割り当てられたＩＤ Ｘを結合させることにより得られる場合、ＵＥ １１０が、任意の受信ＮＡＳメッセージ中のルーティングＩＤから、ＩＤ Ｘを得ることができるように、結合の方法は可逆的であるべきであり、ＵＥ １１０に知られているべきである。すべての設計に関し、ＵＥ １１０が、ＵＥに割り当てられたルーティングＩＤを識別することができるように、ＵＥ １１０は通知されてもよい。
【００３６】
ＭＴ−ＬＲに関する１つの設計では、ＭＭＥ １３０は、ＭＴ−ＬＲに対して、ルーティングＩＤ（例えば、ＩＤ Ｙ）を割り当ててもよく、ＵＥ １１０に送られるプライバシー通知メッセージにＩＤ Ｙを含めて、ＭＴ−ＬＲをユーザに通知してもよく、ＭＴ−ＬＲの始端となる、ＵＥ １１０、または、ＬＣＳクライアント（例えば、ＬＣＳクライアント１６０の名前およびネットワークアドレス）に対して、情報を提供してもよい。プライバシー通知メッセージは、さらにＭＴ−ＬＲの認可を、ＵＥ １１０に要求してもよい。このプライバシー通知メッセージはまた、通知および確認要求として呼ばれてもよく、ＬＣＳ ＮＡＳプロトコルの一部であってもよい（例えば、ＬＰＰメッセージを転送するＮＡＳメッセージの中で使用されるＰＤ値と同じＰＤ値、または、異なるＰＤ値を使用してもよい）。ユーザが要求を認可した場合、あるいは認可が必要でない場合、ＭＭＥ １３０は、Ｅ−ＳＭＬＣ １４０とのロケーションセッションを引き起こして、ＭＴ−ＬＲに対するＵＥ１１０のロケーションを得てもよく、あるいは、Ｅ−ＳＭＬＣ １４０との既存のロケーションセッションが完了まで継続することを可能にしてもよい。Ｅ−ＳＭＬＣ １４０は、ＵＥ １１０にＬＣＳ関連のメッセージ（例えば、ＬＰＰメッセージ）を送って、ＵＥロケーションを決定してもよい（例えば、衛星測定値を得てもよい）。ＭＭＥ１３０は、ＵＥ １１０に対するＬＣＳ関連のメッセージを運ぶ各ＮＡＳメッセージにＩＤ Ｙを含めてもよい。次に、ＵＥ １１０は、ＬＣＳ関連のメッセージとともに送られたＩＤ Ｙによって、ＬＣＳ関連のメッセージがＭＴ−ＬＲをサポートしており、先のプライバシー通知に関係付けられていることを知るだろう。ＵＥ １１０（および、ユーザ）は、ＬＣＳ関連のメッセージに関係付けられたトランザクションが、既に認可された（または、後で認可されることになる）ことを知ることができる。ＭＴ−ＬＲに関して、ＭＭＥ １３０によって割り当てられたＩＤ Ｙの使用は、このように、何らかのレベルのセキュリティを提供して、プライバシー問題を緩和する。
【００３７】
ＭＯ−ＬＲメッセージが、ＭＭＥ １３０とＵＥ １１０の間で交換されて、ＵＥ １１０が、それ自身のロケーションを要求するか、支援データを要求するか、または、第三者ＬＣＳクライアント１６０に対する、そのロケーションの転送を要求することを可能にしてもよい。外部ＬＣＳクライアント１６０からのＭＴ−ＬＲロケーション要求についてユーザに通知するために、また、オプション的に、ユーザが、要求を許容または拒否することを可能にするために、プライバシー関連のメッセージが、ＭＭＥ １３０とＵＥ １１０の間で交換されてもよい。Ｅ−ＳＭＬＣ １４０を介して、ＵＥ １１０のためのロケーションサービスおよびポジショニングをサポートするために、ＬＰＰメッセージはＭＭＥ１３０とＵＥ １１０の間で交換されてもよい。ＭＯ−ＬＲメッセージ、ＭＴ−ＬＲメッセージ、および、ＬＰＰメッセージのようなＬＣＳ関連メッセージは、ＮＡＳメッセージを介して、効率的に転送されてもよい。
【００３８】
図３に示したように、ＮＡＳメッセージは、ＵＥ １１０とｅＮＢ １２０の間、およびｅＮＢ １２０とＭＭＥ １３０の間のＬＣＳ関連のメッセージを転送するために、都合よく使用されてもよい。ＬＣＳ関連のメッセージを転送するためにＮＡＳメッセージを使用することは、ｅＮＢ １２０への影響を回避してもよく、ｅＮＢ １２０は、ＮＡＳメッセージの内容に気付いている必要がなくてもよい。さらに、ＬＣＳ関連のメッセージを転送するためにＮＡＳメッセージを使用することは、すべての影響を受けるエンティティの実施および動作を単純化させる。
【００３９】
ＬＣＳ関連のメッセージを運ぶＮＡＳメッセージは、他の機能（例えば、ＥＳＭメッセージおよびＥＭＭメッセージ）に対する、他のメッセージを運ぶＮＡＳメッセージから、さまざまな方法で区別されてもよい。１つの設計では、ＰＤを使用して、ＬＣＳ関連のメッセージを転送するＮＡＳメッセージを識別してもよい。ＮＡＳメッセージは、さまざまなフィールドを含んでいてもよく、そのうちの１つは４ビットのＰＤフィールドである。００１０（２進）のＰＤ値が、ＥＳＭメッセージに割り当てられる。また、０１１１（２進）のＰＤ値が、ＥＭＭメッセージに割り当てられる。何のメッセージにもまだ割り当てされない（または、割り当てされたが、一度も使用されていない）ＰＤ値は、ＬＣＳ関連のメッセージに割り当てされてもよい。例えば、１１０１（２進）のＰＤ値はまだ割り当てられておらず、ＬＣＳ関連のメッセージに使用されてもよい。代わりに、１１００（２進）のＰＤ値、それは３ＧＰＰ  リリース９８中で割り当てられた、ＧＥＲＡＮ タイプＡロケーション測定ユニット（ＬＭＵ）をサポートし、ＬＣＳ関連メッセージに再割り当てされてもよい。他のＰＤ値もまた、ＬＣＳ関連のメッセージ、例えば、ＰＤ値１１１０プラス拡張中での任意の追加の値を使用することにより得られた拡張ＰＤ値に対して使用されてもよい。
【００４０】
図４は、ＮＡＳメッセージを使用して、異なるＰＤ値を備える、異なる機能のためのメッセージを転送する設計を図示する。ＥＳＭメッセージを運ぶＮＡＳメッセージは、ＥＳＭメッセージに割り当てられた００１０のＰＤ値を含んでいてもよい。ＥＭＭメッセージを運ぶＮＡＳメッセージは、ＥＭＭメッセージに割り当てられた０１１１のＰＤ値を含んでいてもよい。ＬＣＳ関連のメッセージを運ぶＮＡＳメッセージは、ＬＣＳ関連のメッセージに割り当てられたＰＤ値を含んでいてもよい。ＵＥ １１０は、それらの異なる割り当てられたＰＤ値に基づいて、ＥＳＭメッセージ、ＥＭＭメッセージ、および、ＬＣＳ関連のメッセージを区別してもよく、ＵＥ １１０において、適切なモジュールに対して、これらのメッセージを送ってもよい。同様に、ＭＭＥ １３０は、それらの異なる割り当てられたＰＤ値に基づいて、ＥＳＭメッセージ、ＥＭＭメッセージ、および、ＬＣＳ関連のメッセージを区別してもよく、ＭＭＥ １３０において、適切なモジュールに対してこれらのメッセージを送ってもよい。このように、ＥＳＭメッセージ、ＥＭＭメッセージ、および、ＬＣＳ関連のメッセージのデマルチプレクスは、ＰＤ値に基づいて行なわれてもよい。
【００４１】
１つの設計では、異なる機能に対するＬＣＳ関連のメッセージ（または、異なるタイプのＬＣＳ関連のメッセージ）が、同じＰＤ値を割り当てられてもよく、ＬＣＳ関連のメッセージ、もしくは、ＮＡＳメッセージ中で、指定されたフィールド（例えば、ＬＣＳメッセージタイプフィールド）に基づいて、デマルチプレクスされてもよい。これは、ＭＯ−ＬＲのためのＬＣＳ関連のメッセージ、ＭＴ−ＬＲのためのＬＣＳ関連のメッセージ、およびＬＰＰのためのＬＣＳ関連のメッセージが、ＵＥ １１０において、また、ＭＭＥ １３０において、適切なモジュールに送られることを可能にしてもよい。
【００４２】
別の設計では、異なるタイプのＬＣＳ関連のメッセージは、異なるＰＤ値を割り当てられてもよく、ＰＤ値に基づいてデマルチプレクスされてもよい。例えば、１つのＰＤ値が、ＭＯ−ＬＲメッセージおよびＭＴ−ＬＲメッセージに対して割り当てられてもよく、そして、別のＰＤ値が、ＬＰＰメッセージに対して割り当てられてもよい。この設計は、ＵＥ １１０およびＭＭＥ １３０が、ＬＰＰメッセージを、ＭＴ−ＬＲおよびＭＯ−ＬＲメッセージから、ＮＡＳ転送レベルにおいて、より容易に区別することを可能にしてもよい。ＵＥ １１０およびＭＭＥ １３０中の、別の論理的なモジュールを使用して、ＭＯ−ＬＲおよびＭＴ−ＬＲメッセージに対してＬＰＰメッセージをサポートする場合、この設計はさらにより効率的であってもよい。
【００４３】
戻って図２を参照して、１つの設計では、ＬＣＳ ＮＡＳプロトコルは、ＵＥ １１０とＭＭＥ １３０の間で使用されてもよく、ＵＥ １１０とＭＭＥ １３０の間のＬＣＳ関連のメッセージの転送をサポートしてもよい。ＬＣＳ ＮＡＳプロトコルは、ＭＯ−ＬＲメッセージ、ＭＴ−ＬＲメッセージ、ＬＰＰメッセージ等をサポートしてもよい。ＬＣＳＮＡＳプロトコルは、一意的なＰＤ値を割り当てられてもよい。ＬＣＳ ＮＡＳプロトコルに対するＬＣＳ関連のメッセージが、ＮＡＳメッセージ中で運ばれてもよく、これらは、図４に関して、上で記述したように、ＬＣＳ ＮＡＳプロトコルに割り当てられたＰＤ値を含んでいてもよい。ＬＣＳ ＮＡＳプロトコルは、ＭＯ−ＬＲメッセージ、ＭＴ−ＬＲメッセージ、ＬＰＰメッセージ等を、デマルチプレクスするためのメカニズムを提供してもよい。別の設計では、ＬＣＳ ＮＡＳプロトコルは省略されてもよく、ＬＣＳ関連のメッセージは、ＮＡＳメッセージ中で運ばれてもよく、新しいＰＤ値、または、他の任意のメカニズムによって識別されてもよい。両方の設計に関して、ＭＭＥ １３０が、ＮＡＳメッセージ中で転送されたＬＣＳ関連のメッセージを適切にルーティングすることを可能にするために、各ＮＡＳメッセージは、ＭＭＥ １３０とＥ−ＳＭＬＣ １４０の間のロケーションセッションに関係付けられてもよいルーティングＩＤを含んでいてもよい。
【００４４】
図５は、ロケーションサービスとＮＡＳメッセージを交換するプロセス５００の設計を図示する。プロセス５００は、（以下で述べるように）ＵＥによって、または、他の任意のエンティティによって実行されてもよい。ＵＥは、ＬＴＥアクセスを介して、ＲＡＮで通信してもよい（５１２）。ＵＥが、ＭＭＥとの間で、少なくとも１つのＮＡＳメッセージを交換して、ＵＥのためのロケーションサービスに関する少なくとも１つのメッセージを転送してもよい（５１４）。１つの設計では、ＮＡＳメッセージはそれぞれ、ＭＭＥによって維持される、ＵＥのためのロケーションセッションに関係するルーティングＩＤを含んでもよい。
【００４５】
１つの設計では、ＮＡＳメッセージはそれぞれ、指定の値にセットされて、ＵＥのためのロケーションサービスに関する１つ以上のメッセージを転送するＮＡＳメッセージを識別してもよいＰＤフィールドを含んでもよい。別の設計では、ロケーションサービスのために１つ以上のメッセージを転送するＮＡＳメッセージはそれぞれ、他の何らかの方法で識別されてもよい。
【００４６】
１つの設計では、ロケーションサービスに対する少なくとも１つのメッセージは、少なくとも１つのＬＰＰメッセージ、ＭＯ−ＬＲのための少なくとも１つのメッセージ、または、ＭＴ−ＬＲのための少なくとも１つのメッセージを含んでもよい。例えば、ロケーションサービスに対する少なくとも１つのメッセージは、ＭＴ−ＬＲに関してユーザに通知するために使用される、また、オプション的に、ユーザが、要求を許容または拒否することを可能にするために使用される、プライバシー通知メッセージを含んでもよい。
【００４７】
図６は、ロケーションサービスに対するＮＡＳメッセージを交換するプロセス６００の設計を図示する。プロセス６００は、（以下で述べるように、）ＭＭＥによって、または、他の任意のエンティティによって行なわれてもよい。ＭＭＥは、ＬＴＥアクセスを介して、ＲＡＮと通信するＵＥを識別してもよい（ブロック６１２）。ＭＭＥは、ＵＥとの間で、少なくとも１つのＮＡＳメッセージを交換して、ＵＥのためのロケーションサービスに関する少なくとも１つのメッセージを転送してもよい（ブロック６１４）。
【００４８】
ＭＭＥは、ロケーションセッションのためにＥ−ＳＭＬＣと通信して、ＵＥにロケーションサービスを提供してもよい。ＭＭＥは、ＭＭＥとＥ−ＳＭＬＣの間のロケーションセッションに関連する、ＭＭＥとＵＥの間の通信にルーティングＩＤを割り当てしてもよい。ＭＭＥとＵＥの間で交換されるＮＡＳメッセージはそれぞれ、ＭＭＥとＥ−ＳＭＬＣの間のロケーションセッションにＮＡＳメッセージを関係付けるために、ルーティングＩＤを含んでいてもよい。
【００４９】
１つの設計では、ロケーションサービスに関する少なくとも１つのメッセージは、少なくとも１つのＬＰＰメッセージ、ＭＯ−ＬＲのための少なくとも１つのメッセージ、または、ＭＴ−ＬＲのための少なくとも１つのメッセージを含んでもよい。１つの設計では、ＮＡＳメッセージはそれぞれ、指定の値にセットされて、ＵＥのためのロケーションサービスに関する１つ以上のメッセージを転送するＮＡＳメッセージを識別してもよいＰＤフィールドを含んでもよい。別の設計では、ロケーションサービスに対する１つ以上のメッセージを転送するＮＡＳメッセージはそれぞれ、他の何らかの方法で識別されてもよい。
【００５０】
図７は、ロケーションサービスのためにメッセージを交換するプロセス７００の設計を図示する。プロセス７００は、（以下で述べるように、）ＵＥによって、または、他の何らかのエンティティによって行なわれてもよい。ＵＥは、例えば、図３のステップ２および３で、第１のネットワークエンティティ（例えば、ＭＭＥ）によって、ＵＥに送信された第１のメッセージを受信してもよい（ブロック７１２）。第１のメッセージは、第１のネットワークエンティティと第２のネットワークエンティティ（例えば、Ｅ−ＳＭＬＣ）との間のロケーションセッションに関係する、ルーティングＩＤを含んでもよく、ＵＥにロケーションサービスを提供してもよい。ＵＥは、例えば、図３のステップ５および６で、第１のネットワークエンティティに、ルーティングＩＤを含む第２のメッセージを送信してもよい（ブロック７１４）。ルーティングＩＤは、ＵＥによって第２のメッセージに含められていてもよく、第１および第２のネットワークエンティティの間のロケーションセッションに第２のメッセージを関係付けるために、第１のネットワークエンティティによって使用されてもよい。
【００５１】
ルーティングＩＤは、第１のネットワークエンティティ、および／または、ＵＥによって決定されてもよい。１つの設計では、ＵＥは、第１のネットワークエンティティに第１のＩＤを含むＭＯ−ＬＲ要求メッセージを送信してもよい。ルーティングＩＤは、第１のＩＤに基づいて、決定されてもよく、例えば、第１のＩＤと等しいか、または、第１のＩＤを含んでいてもよい。別の設計では、ＵＥは、第１のネットワークエンティティから、ＭＴ−ＬＲのためにプライバシー通知メッセージを受信してもよい。プライバシー通知メッセージは、第１のネットワークエンティティによって割り当てられた、ルーティングＩＤを含んでもよい。
【００５２】
１つの設計では、第１および第２のメッセージは、ＵＥのためのロケーションサービスに関する少なくとも１つのメッセージを転送するＮＡＳメッセージを含んでもよい。第１のメッセージ、および／または、第２のメッセージは、少なくとも１つのＬＰＰメッセージ、ＭＯ−ＬＲのための少なくとも１つのメッセージ、または、ＭＴ−ＬＲのための少なくとも１つのメッセージ、等を含んでもよい。
【００５３】
図８は、ロケーションサービスのためにメッセージを交換するプロセス８００の設計を図示する。プロセス８００は、第１のネットワークエンティティー（例えば、ＭＭＥ）によって行なわれてもよい。第１のネットワークエンティティは、第１のネットワークエンティティと第２のネットワークエンティティ（例えば、Ｅ−ＳＭＬＣ）の間のロケーションセッションに関係する、ルーティングＩＤを決定して、ＵＥにロケーションサービスを提供してもよい（ブロック８１２）。第１のネットワークエンティティは、例えば、図３のステップ２および３で、ルーティングＩＤを含む第１のメッセージを、ＵＥに送信してもよい（ブロック８１４）。第１のネットワークエンティティは、例えば、図３のステップ５および６で、ＵＥから、ルーティングＩＤを含む、第２のメッセージを受信してもよい（ブロック８１６）。第１のネットワークエンティティは、第２のメッセージに含まれた、ルーティングＩＤに基づいて、第１および第２のネットワークエンティティの間のロケーションセッションに、ＵＥからの第２のメッセージを関係付けてもよい（ブロック８１８）。
【００５４】
ブロック８１２の１つの設計では、第１のネットワークエンティティが、ルーティングＩＤを割り当てしてもよい。別の設計では、第１のネットワークエンティティは、ＭＯ−ＬＲのための第１のＩＤを、ＵＥから受信してもよく、第１のＩＤに基づいて、ルーティングＩＤを割り当てしてもよい。例えば、ルーティングＩＤは、第１のＩＤと等しくてもよく、または、ルーティングＩＤの一部として第１のＩＤを含んでいてもよい。
【００５５】
１つの設計では、第１のネットワークエンティティは、第１のメッセージとして、ＭＯ−ＬＲあるいはＭＴ−ＬＲのためのメッセージを送信してもよい。例えば、第１のネットワークエンティティは、第１のメッセージとして、ＭＴ−ＬＲのためにプライバシー通知メッセージを送信してもよい。
【００５６】
１つの設計では、第１のネットワークエンティティは、ロケーションセッションに関して、例えば、図３のステップ１で、第２のネットワークエンティティによって送信された、第３のメッセージを受信してもよい。第１のネットワークエンティティは、第２のネットワークエンティティから第３のメッセージの受信に応じて、ＵＥに第１のメッセージを送信してもよい。１つの設計では、第１のネットワークエンティティは、ＵＥからの第２のメッセージの受信に応じて、（例えば、図３のステップ７で）ロケーションセッションに関して、第２のネットワークエンティティに、第４のメッセージを送信してもよい。第３および第４のメッセージは、ルーティングＩＤまたはロケーションセッションに関連した別のＩＤのいずれかを含んでいてもよい。
【００５７】
１つの設計では、第１および第２のメッセージは、ＵＥのためのロケーションサービスに関して、少なくとも１つのメッセージを転送するＮＡＳメッセージを含んでもよい。１つの設計では、第１のメッセージは少なくとも１つのＬＰＰメッセージを含んでもよく、これは第３のメッセージを介して、第２のネットワークエンティティによって送られてもよい。１つの設計では、第２のメッセージは、少なくとも１つのＬＰＰメッセージを含んでもよく、これは第４のメッセージを介して、第２のネットワークエンティティに対して転送されてもよい。第１の、第２の、第３の、および、第４のメッセージはまた、ＵＥのためのロケーションサービスに関連する、他のメッセージを含んでいてもよい。
【００５８】
図９は、図１の中のＵＥ １１０、基地局／ｅＮＢ １２０、ＭＭＥ １３０、および、Ｅ−ＳＭＬＣ １４０の設計のブロック図を図示する。簡潔さのために、図９は、（ｉ）ＵＥ １１０の１つ以上の制御装置／プロセッサ９１０、メモリ９１２、送信機／受信機（ＴＭＴＲ／ＲＣＶＲ）９１４、（ｉｉ）ｅＮＢ １２０の制御装置／プロセッサ９２０、メモリ９２２、および、送信機／受信機９２４、および、通信（Ｃｏｍｍ）ユニット９２６、（ｉｉｉ）ＭＭＥ １３０の制御装置／プロセッサ９３０、メモリ９３２、および、通信ユニット９３４、ならびに、（ｉｖ）Ｅ−ＳＭＬＣ １４０の制御装置／プロセッサ９４０、メモリ９４２、および、通信ユニット９４４を図示する。一般に、エンティティはそれぞれ、何らかの処理ユニット（例えば、制御装置、プロセッサ）、メモリ、トランシーバー、通信ユニット、等も含んでいてもよい。
【００５９】
ダウンリンク上で、ｅＮＢ １２０は、そのカバレッジエリア内のＵＥに、トラフィックデータ、メッセージ／シグナリング、および、パイロットを送信してもよい。これらのさまざまなタイプのデータは、プロセッサ９２０によって処理されてもよく、送信機９２４によって、ダウンリンク信号を生成するように調整されて、ＵＥに送信されてもよい。プロセッサ９２０は、図３の中の通話フロー用のｅＮＢ／ＲＡＮ １２０の処理を行なってもよい。ＵＥ １１０において、ｅＮＢ １２０からのダウンリンク信号が、受信機９１４によって受信、調整されてもよく、ロケーションサービス、および／または、他のサービスのためのさまざまなタイプの情報を得るために、プロセッサ９１０によってさらに処理されてもよい。プロセッサ９１０は、図３中で通話フローに使用されたメッセージをデコードしてもよい。プロセッサ９１０はまた、図５の中のプロセス５００、図７の中のプロセス７００、および／または、ここに記述された技術の他のプロセスを実行してもよく、または、指示してもよい。メモリ９１２および９２２はそれぞれ、ＵＥ １１０およびｅＮＢ １２０に対するプログラムコードとデータを記憶してもよい。
【００６０】
アップリンク上で、ＵＥ １１０が、ｅＮＢ １２０に対して、トラフィックデータ、メッセージ／シグナリング、および、パイロットを送信してもよい。これらのさまざまなタイプのデータは、プロセッサ９１０によって処理され、送信機９１４によって調整されて、アップリンク信号を生成してもよく、これは、ｅＮＢ １２０に送信されてもよい。ｅＮＢ １２０において、ＵＥ １１０、および、他のＵＥからのアップリンク信号は、受信機９２４によって受信、調整されてもよく、さまざまなタイプの情報、例えば、データ、メッセージ／シグナリング等を得るために、プロセッサ９２０によってさらに処理されてもよい。プロセッサ９２０は、図３の中の通話フロー用のｅＮＢ／ＲＡＮ １２０の処理を行なってもよい。ｅＮＢ １２０は、通信装置９２６を介して、（例えば、１つ以上のデータネットワーク中の）他のネットワークエンティティと通信してもよい。
【００６１】
ＭＭＥ １３０内では、プロセッサ９３０は、ロケーションサービスをサポートするための処理を実行してもよく、メモリ９３２は、ＭＭＥ １３０のために、プログラムコードおよびデータを記憶してもよく、通信ユニット９３４は、ＭＭＥ １３０が他のエンティティと通信することを可能にしてもよい。プロセッサ９３０は、図３の中の通話フロー用のＭＭＥ １３０の処理を実行してもよい。プロセッサ９３０は、さらに図６の中のプロセス６００、図８の中のプロセス８００、および／または、ここに記述された技術の他のプロセスを実行してもよく、もしくは、指示してもよい。
【００６２】
Ｅ−ＳＭＬＣ １４０内で、プロセッサ９４０は、ＵＥのためのロケーションサービスをサポートするための処理を行なってもよく、メモリ９４２は、Ｅ−ＳＭＬＣ １４０のプログラムコードおよびデータを記憶してもよい。また、通信ユニット９４４は、Ｅ−ＳＭＬＣ １４０が、他のエンティティと通信することを可能にしてもよい。プロセッサ９４０は、図３の中の通話フロー用のＥ−ＳＭＬＣ １４０の処理を行なってもよい。
【００６３】
当業者は、さまざまな異なる技術および技法を使用して情報および信号を表してもよいことを理解するだろう。例えば、上の説明を通して参照された、データ、命令、コマンド、情報、信号、ビット、シンボルおよびチップは、電圧、電流、電磁波、磁界または磁気の粒子、光学界または光の粒子、あるいはこれらの何らかの組み合わせにより、表してもよい。
【００６４】
ここの開示に関連して述べられた、さまざまな例示的な論理ブロック、モジュール、回路およびアルゴリズムステップが、ハードウェア、コンピュータソフトウェア、あるいは双方の組み合わせたものとして実現されてもよいことを当業者はさらに正しく認識するであろう。ハードウェアおよびソフトウェアの交換可能性を明確に図示するために、さまざまな例示的な構成部品、ブロック、モジュール、回路およびステップを一般的にこれらの機能に関して上述した。そのような機能がハードウェアあるいはソフトウェアとして実現されるか否かは、特定の応用および全体的なシステムに課せられた設計の制約に依存する。当業者は、それぞれの特定の応用に対して方法を変化させて、述べてきた機能を実現してもよいが、そのような実現決定は、本発明の範囲からの逸脱を生じさせるものとして解釈すべきではない。
【００６５】
ここに記述された位置決定技術は、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）等のような、さまざまなワイヤレス通信ネットワークに対して使用してもよい。用語“ネットワーク”および“システム”を、ここで交換可能に使用してもよい。ＷＷＡＮは、コード分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一搬送波分割多元接続（ＳＣ−ＦＤＭＡ）ネットワーク等であってもよい。ＣＤＭＡネットワークは、１つ以上の無線接続技術（ＲＡＴ）、いくつかの無線技術を挙げると、ｃｄｍａ２０００、広帯域−ＣＤＭＡ（Ｗ−ＣＤＭＡ）のようなＲＡＴを実現してもよい。ここで、ｃｄｍａ２０００は、ＩＳ−９５、ＩＳ−２０００、および、ＩＳ−８５６標準規格にしたがって、実現される技術を含んでもよい。ＴＤＭＡネットワークは、移動体通信のためのグローバルシステム（ＧＳＭ（登録商標））、デジタルアドバンスト移動体電話システム（Ｄ−ＡＭＰＳ）、または、他の何らかのＲＡＴを実現してもよい。ＧＳＭとＷ−ＣＤＭＡは、“第３世代パートナーシッププロジェクト”（３ＧＰＰ）と称される組織からの文書に説明されている。ｃｄｍａ２０００は、“第３世代パートナーシッププロジェクト２”（３ＧＰＰ２）と称される組織からの文書に説明されている。３ＧＰＰおよび３ＧＰＰ２文書は、公的に利用可能である。例えば、ＷＬＡＮは、ＩＥＥＥ８０２．１１ｘネットワークを含んでもよく、ＷＰＡＮは、ブルートゥース（登録商標）ネットワーク、ＩＥＥＥ８０２．１５ｘを含んでもよい。ここで記述する、このようなロケーション決定技術を、ＷＷＡＮ、ＷＬＡＮ、および／または、ＷＰＡＮの何らかの組み合わせに対して使用してもよい。技術はまた、フェムトセルとともに実現されてもよい。
【００６６】
衛星ポジショニングシステム（ＳＰＳ）は、一般的に、エンティティが、送信機から受信された信号に少なくとも部分的に基づいて、地球上の、あるいはその地球の上の、それらのロケーションを決定することを可能にするために位置している送信機のシステムを備える。そのような送信機は、一般的に、チップのセットされた番号の、繰り返しの疑似ランダム雑音（ＰＮ）コードで特徴づけられた信号を送信し、地上ベースの制御局、ユーザ装置、および／または、宇宙船に配置されてもよい。特定の例において、このような送信機は、地球軌道衛星車両（ＳＶ）に置かれてもよい。例えば、グローバルポジショニングシステム（ＧＰＳ）、ガリレオ、ＧＬＯＮＡＳＳ、または、コンパスのようなグローバル衛星航法システム（ＧＮＳＳ）の配置のＳＶは、配置中の他のＳＶによって送信されたＰＮコードから識別可能なＰＮコードで（例えば、ＧＰＳでのように、異なるＰＮコードを各衛星に使用して、または、ＧＬＯＮＡＳＳでのように、異なる周波数上で同一コードを使用して、）マークされた信号を送信してもよい。ある観点にしたがうと、ここに示された技術は、ＳＰＳのためにグローバルシステム（例えば、ＧＮＳＳ）に制限されない。例えば、ここに提供される技術は、さまざまな地域システムで使用されるように適用されるか、または、そうでなければ、さまざまな地域システムで使用するためにイネーブルされていてもよく、さまざまな地域システムは、例えば、日本における準天頂衛星システム（ＱＺＳＳ）、インドにおけるインド地域航行衛星システム（ＩＲＮＳＳ）、中国等におけるＢｅｉｄｏｕ、および／または、１つ以上のグローバルおよび／または地域航行衛星システムに関係付けられてもよい、あるいは、これらとともに使用するようにイネーブルされていてもよい、さまざまなオーグメンテーションシステム（例えば、衛星ベースのオーグメンテーションシステム（ＳＢＡＳ））のようなものである。制限としてではなく、例として、ＳＢＡＳは、保全性情報、微分補正などを提供する、例えば、ワイドエリアオーグメンテーションシステム（ＷＡＡＳ）、ヨーロッパの静止衛星ナビゲーションオーバレイサービス（ＥＧＮＯＳ）、多機能の衛星オーグメンテーションシステム（ＭＳＡＳ）、ＧＰＳサポートＧｅｏオーグメンテーションナビゲーションもしくはＧＰＳ、あるいは、Ｇｅｏオーグメンテーションナビゲーションシステム（ＧＡＧＡＮ）、および／または、これらに類するものを含んでいてもよい。したがって、ここで使用するように、ＳＰＳは、１つ以上のグローバルおよび／または、地域のナビゲーション衛星システム、ならびに／あるいは、オーグメンテーションシステムの何らかの組合せも含んでいてもよい。また、ＳＰＳ信号は、ＳＰＳ、ＳＰＳ類似、または、そのような１つ以上のＳＰＳに関連した他の信号を含んでいてもよい。
【００６７】
ここで使用するように、ユーザ装置（ＵＥ）は、セルラ、または、他のワイヤレス通信デバイス、パーソナル通信システム（ＰＣＳ）デバイス、パーソナルナビゲーションデバイス（ＰＮＤ）、パーソナル情報マネージャー（ＰＩＭ）、パーソナルデジタルアシスタント（ＰＤＡ）、ワイヤレス通信、および／または、ナビゲーション信号を受信することができる、ラップトップあるいは他の適切なモバイルデバイスを指す。用語“ユーザ装置”も、衛星信号受信、支援データ受信、および／または、ポジション関連の処理がデバイス、または、ＰＮＤで生じるかどうかにかかわらず、短距離ワイヤレス、赤外線、ワイヤーライン接続、あるいは、他の接続のようなものによって、パーソナルナビゲーションデバイス（ＰＮＤ）と通信する装置を含むように意図される。さらに、“ユーザ装置”は、インターネット、Ｗｉ−Ｆｉ、または、他のネットワークを介して、衛星信号受信、支援データ受信、および／または、ポジション関連の処理が、デバイスで、サーバ、あるいはネットワークに関連した別の装置で生じるかどうかにかかわらず、サーバと通信できるワイヤレス通信デバイス、コンピュータ、ラップトップ等を含む、装置をすべて含むことが意図される。上記のものの何らかの動作可能な組合せも“ユーザ装置”と考えられる。
【００６８】
ここで記述した技法は、応用に依拠して、さまざまな手段によって実現されてもよい。例えば、これらの技法は、ハードウェア、ファームウェア、ソフトウェア、または、これらの任意の組み合わせにおいて実現されてもよい。ハードウェアに関する実施では、処理ユニットは、特定用途向け集積回路（ＡＳＩＣ）、デジタル信号プロセッサ（ＤＳＰ）、デジタル信号処理デバイス（ＤＳＰＤ）、他のプログラム可能な論理デバイス（ＰＬＤ）、フィールドプログラム可能ゲートアレイ（ＦＰＧＡ）、プロセッサ、制御装置、マイクロ制御装置、電子デバイス、ここで開示した機能を実行するように設計された、他の電子ユニット、あるいは、これらの任意の組み合わせ内で、実現されてもよい。
【００６９】
ファームウェア、および／または、ソフトウェアに関する実施については、技法は、ここに記述された機能を行なうモジュール（例えば、手続、関数等）で実現されてもよい。命令を有体的に実現する、任意の機械読取可能媒体は、ここに記述された技法を実現するのに使用されてもよい。例えば、ソフトウェアコードはメモリ中に記憶されてもよく、処理ユニットによって実行されてもよい。メモリは、処理ユニット内で実現されてもよく、または、処理ユニット外部で実現されてもよい。ここに使用するように、用語“メモリ”は、任意のタイプの長期、短期、揮発性、不揮発性、あるいは、他のメモリを指し、メモリもしくは多数のメモリの任意の特定タイプ、または、メモリが記憶される媒体のタイプに制限されるものではない。
【００７０】
ファームウェア、および／または、ソフトウェアにおいて実現される場合、関数は、コンピュータ読取可能媒体中の１つ以上の命令またはコードとして記憶されてもよい。例として、データ構造でエンコードされたコンピュータ読取可能媒体と、コンピュータプログラムでエンコードされたコンピュータ読取可能媒体とが含まれる。コンピュータ読取可能媒体は、コンピュータプログラム製品の形態をとってもよい。コンピュータ読取可能媒体は、物理的コンピュータ記憶媒体を含んでもよい。記憶媒体は、コンピュータによりアクセスし得る、任意の利用可能な媒体であってもよい。例として、これらに制限される訳ではないが、このようなコンピュータ読取可能媒体は、ＲＡＭ、ＲＯＭ、ＥＥＰＲＯＭ、ＣＤ−ＲＯＭ、および他の光学ディスクストレージ、磁気ディスクストレージまたは磁気ストレージ装置、あるいは、所望のプログラムコードを命令またはデータ構造の形態で媒介または記憶するのに使用されることができ、かつ、コンピュータによってアクセスされることができる、他の任意の媒体を含むことができる。また、接続は、コンピュータ読取可能媒体と呼んでもよい。例えば、ソフトウェアが、ウェブサイト、サーバ、または、他のリモード源から、同軸ケーブル、ファイバー光学ケーブル、燃料対、デジタル加入ライン（ＤＳＬ）、または、赤外線、無線、および、マイクロウェーブのようなワイヤレス技術を使用して、送信される場合、同軸ケーブル、ファイバー光学ケーブル、燃料対、デジタル加入ライン（ＤＳＬ）、または、赤外線、無線、および、マイクロウェーブのようなワイヤレス技術は、媒体の定義中に含められる。ディスク（ｄｉｓｋとｄｉｓｃ）は、ここで使用するように、コンパクトディスク（ＣＤ）、レーザーディスク（登録商標）、光学ディスク、デジタル汎用ディスク（ＤＶＤ）、フロッピー（登録商標）ディスク、ブルーレイ（登録商標）ディスクを含み、ここで、ディスク（ｄｉｓｋ）は、通常は、磁気的にデータを再生し、ディスク（ｄｉｓｃ）は、レーザーで光学的にデータを再生する。上記のものの組み合わせもまた、コンピュータ読取可能媒体の範囲内に含められるだろう。
【００７１】
命令、および／または、データは、コンピュータ可読媒体上の記憶に加えて、通信装置に含まれる伝送メディア上の信号として提供されてもよい。例えば、通信装置は、命令とデータを示す信号を有するトランシーバーを含んでいてもよい。命令とデータは、１つ以上の処理ユニットに、特許請求の範囲で概説された機能を実現させるように構成される。すなわち、通信装置は、開示した機能を実行する情報を示す信号を備えた伝送媒体を含む。第１の時間において、開示した機能を実行するために、通信装置に含まれた伝送メディアは、開示した機能を実行するための情報の前半部を含んでいてもよい一方で、第２の時間において、通信装置に含まれた伝送メディアは、開示した機能を実行するための情報の第２の部分を含んでいてもよい。
【００７２】
これまでの開示の記述は、当業者が本開示を利用できるように提供した。本開示に対するさまざまな修正が当業者によって容易に明らかになり、ここで記述する一般的な原則が、開示の範囲から逸脱することなく他の変形に適用されてもよい。したがって、開示は、ここで開示した例、および、設計に対する制限となることを意図しておらず、ここで開示する原則と新規な特徴と一致した最も広い範囲にしたがうべきである。
【図１】
2015222963.tif 000003
【図２】
2015222963.tif 000004
【図３】
2015222963.tif 000005
【図５】
2015222963.tif 000006
【図６】
2015222963.tif 000007
【図７】
2015222963.tif 000008
【図８】
2015222963.tif 000009
【図９】
2015222963.tif 000010
【図４】
2015222963.tif 000011
【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
ロケーションサービスを取得する方法において、
ユーザ装置（ＵＥ）によって、長期発展型（ＬＴＥ）アクセスを介して、無線アクセスネットワーク（ＲＡＮ）と通信することと、
前記ＵＥと、モビリティ管理エンティティ（ＭＭＥ）との間で、少なくとも１つの非アクセス層（ＮＡＳ）メッセージを交換して、前記ＵＥのためのロケーションサービスに関する少なくとも１つのメッセージを転送することとを含む方法。
【手続補正２】
【補正対象書類名】明細書
【補正対象項目名】００７２
【補正方法】変更
【補正の内容】
【００７２】
これまでの開示の記述は、当業者が本開示を利用できるように提供した。本開示に対するさまざまな修正が当業者によって容易に明らかになり、ここで記述する一般的な原則が、開示の範囲から逸脱することなく他の変形に適用されてもよい。したがって、開示は、ここで開示した例、および、設計に対する制限となることを意図しておらず、ここで開示する原則と新規な特徴と一致した最も広い範囲にしたがうべきである。
以下に、本願出願の当初の特許請求の範囲に記載された発明を付記する。
［１］
ロケーションサービスを取得する方法において、
ユーザ装置（ＵＥ）によって、長期発展型（ＬＴＥ）アクセスを介して、無線アクセスネットワーク（ＲＡＮ）と通信することと、
前記ＵＥと、モビリティ管理エンティティ（ＭＭＥ）との間で、少なくとも１つの非アクセス層（ＮＡＳ）メッセージを交換して、前記ＵＥのためのロケーションサービスに関する少なくとも１つのメッセージを転送することとを含む方法。
［２］
前記ロケーションサービスに関する少なくとも１つのメッセージは、少なくとも１つのＬＴＥポジショニングプロトコル（ＬＰＰ）メッセージや、モバイル始端ロケーション要求（ＭＯ−ＬＲ）に関する少なくとも１つのメッセージや、モバイル終端ロケーション要求（ＭＴ−ＬＲ）に関する少なくとも１つのメッセージや、または、ネットワーク誘導ロケーション要求（ＮＩ−ＬＲ）に関する少なくとも１つのメッセージを含む、上記［１］記載の方法。
［３］
前記少なくとも１つのＮＡＳメッセージのそれぞれは、指定の値にセットされて、前記ＵＥのためのロケーションサービスに関する１つ以上のメッセージを転送するＮＡＳメッセージのそれぞれを識別するプロトコル区分（ＰＤ）フィールドを含む、上記［１］記載の方法。
［４］
前記少なくとも１つのＮＡＳメッセージのそれぞれは、前記ＵＥのために、前記ＭＭＥによって維持されるロケーションセッションに関係するルーティング識別子（ＩＤ）を含む、上記［１］記載の方法。
［５］
ロケーションサービスを取得する装置において、
ユーザ装置（ＵＥ）によって、長期発展型（ＬＴＥ）アクセスを介して、無線アクセスネットワーク（ＲＡＮ）と通信する手段と、
前記ＵＥと、モビリティ管理エンティティ（ＭＭＥ）との間で、少なくとも１つの非アクセス層（ＮＡＳ）メッセージを交換して、前記ＵＥのためのロケーションサービスに関する少なくとも１つのメッセージを転送する手段とを具備する装置。
［６］
前記ロケーションサービスに関する少なくとも１つのメッセージは、少なくとも１つのＬＴＥポジショニングプロトコル（ＬＰＰ）メッセージや、モバイル始端ロケーション要求（ＭＯ−ＬＲ）に関する少なくとも１つのメッセージや、モバイル終端ロケーション要求（ＭＴ−ＬＲ）に関する少なくとも１つのメッセージや、または、ネットワーク誘導ロケーション要求（ＮＩ−ＬＲ）に関する少なくとも１つのメッセージを含む、上記［５］記載の装置。
［７］
前記少なくとも１つのＮＡＳメッセージのそれぞれは、前記ＵＥのために、前記ＭＭＥによって維持されるロケーションセッションに関係するルーティング識別子（ＩＤ）を含む、上記［５］記載の装置。
［８］
ロケーションサービスを取得する装置において、
ユーザ装置（ＵＥ）によって、長期発展型（ＬＴＥ）アクセスを介して、無線アクセスネットワーク（ＲＡＮ）と通信し、
前記ＵＥと、モビリティ管理エンティティ（ＭＭＥ）との間で、少なくとも１つの非アクセス層（ＮＡＳ）メッセージを交換して、前記ＵＥのためのロケーションサービスに関する少なくとも１つのメッセージを転送するように構成されている少なくとも１つの処理ユニットを具備する装置。
［９］
前記ロケーションサービスに関する少なくとも１つのメッセージは、少なくとも１つのＬＴＥポジショニングプロトコル（ＬＰＰ）メッセージや、モバイル始端ロケーション要求（ＭＯ−ＬＲ）に関する少なくとも１つのメッセージや、モバイル終端ロケーション要求（ＭＴ−ＬＲ）に関する少なくとも１つのメッセージや、または、ネットワーク誘導ロケーション要求（ＮＩ−ＬＲ）に関する少なくとも１つのメッセージを含む、上記［８］記載の装置。
［１０］
前記少なくとも１つのＮＡＳメッセージのそれぞれは、前記ＵＥのために、前記ＭＭＥによって維持されるロケーションセッションに関係するルーティング識別子（ＩＤ）を含む、上記［８］記載の装置。
［１１］
一時的でないコンピュータ読取可能媒体を備えるコンピュータプログラム製品において、
前記一時的でないコンピュータ読取可能媒体は、
少なくとも１つのコンピュータに、ユーザ装置（ＵＥ）によって、長期発展型（ＬＴＥ）アクセスを介して、無線アクセスネットワーク（ＲＡＮ）と通信させるためのコードと、
前記少なくとも１つのコンピュータに、前記ＵＥと、モビリティ管理エンティティ（ＭＭＥ）との間で、少なくとも１つの非アクセス層（ＮＡＳ）メッセージを交換して、前記ＵＥのためのロケーションサービスに関する少なくとも１つのメッセージを転送させるためのコードとを含むコンピュータプログラム製品。
［１２］
ロケーションサービスをサポートする方法において、
長期発展型（ＬＴＥ）アクセスを介して、無線アクセスネットワーク（ＲＡＮ）と通信するユーザ装置（ＵＥ）を識別することと、
モビリティ管理エンティティ（ＭＭＥ）と、前記ＵＥとの間で、少なくとも１つの非アクセス層（ＮＡＳ）メッセージを交換して、前記ＵＥのためのロケーションサービスに関する少なくとも１つのメッセージを転送することとを含む方法。
［１３］
前記ロケーションサービスに関する少なくとも１つのメッセージは、少なくとも１つのＬＴＥポジショニングプロトコル（ＬＰＰ）メッセージや、モバイル始端ロケーション要求（ＭＯ−ＬＲ）に関する少なくとも１つのメッセージや、モバイル終端ロケーション要求（ＭＴ−ＬＲ）に関する少なくとも１つのメッセージや、または、ネットワーク誘導ロケーション要求（ＮＩ−ＬＲ）に関する少なくとも１つのメッセージを含む、上記［１２］記載の方法。
［１４］
前記少なくとも１つのＮＡＳメッセージのそれぞれは、指定の値にセットされて、前記ＵＥのためのロケーションサービスに関する１つ以上のメッセージを転送するＮＡＳメッセージのそれぞれを識別するプロトコル区分（ＰＤ）フィールドを含む、上記［１２］記載の方法。
［１５］
前記ＭＭＥと、発展型担当移動体ロケーションセンター（Ｅ−ＳＭＬＣ）との間のロケーションセッションに関して、前記Ｅ−ＳＭＬＣと通信して、前記ＵＥにロケーションサービスを提供することと、
前記ＭＭＥと前記ＵＥとの間の通信に、前記ＭＭＥと前記Ｅ−ＳＭＬＣとの間のロケーションセッションに関連するルーティング識別子（ＩＤ）を割り当てることと、
前記ＭＭＥと前記ＵＥとの間で交換される、前記少なくとも１つのＮＡＳメッセージのそれぞれは、前記ＭＭＥと前記Ｅ−ＳＭＬＣとの間のロケーションセッションに、ＮＡＳメッセージのそれぞれを関係付けする前記ルーティングＩＤを含む、上記［１２］記載の方法。
［１６］
ロケーションサービスをサポートする装置において、
長期発展型（ＬＴＥ）アクセスを介して、無線アクセスネットワーク（ＲＡＮ）と通信するユーザ装置（ＵＥ）を識別する手段と、
モビリティ管理エンティティ（ＭＭＥ）と、前記ＵＥとの間で、少なくとも１つの非アクセス層（ＮＡＳ）メッセージを交換して、前記ＵＥのためのロケーションサービスに関する少なくとも１つのメッセージを転送する手段とを具備する装置。
［１７］
前記ロケーションサービスに関する少なくとも１つのメッセージは、少なくとも１つのＬＴＥポジショニングプロトコル（ＬＰＰ）メッセージや、モバイル始端ロケーション要求（ＭＯ−ＬＲ）に関する少なくとも１つのメッセージや、モバイル終端ロケーション要求（ＭＴ−ＬＲ）に関する少なくとも１つのメッセージや、または、ネットワーク誘導ロケーション要求（ＮＩ−ＬＲ）に関する少なくとも１つのメッセージを含む、上記［１６］記載の装置。
［１８］
前記ＭＭＥと、発展型担当移動体ロケーションセンター（Ｅ−ＳＭＬＣ）との間のロケーションセッションに関して、前記Ｅ−ＳＭＬＣと通信して、前記ＵＥにロケーションサービスを提供する手段と、
前記ＭＭＥと前記ＵＥとの間の通信に、前記ＭＭＥと前記Ｅ−ＳＭＬＣとの間のロケーションセッションに関連するルーティング識別子（ＩＤ）を割り当てる手段と、
前記ＭＭＥと前記ＵＥとの間で交換される、前記少なくとも１つのＮＡＳメッセージのそれぞれは、前記ＭＭＥと前記Ｅ−ＳＭＬＣとの間のロケーションセッションに、それぞれのＮＡＳメッセージを関係付けする前記ルーティングＩＤを含む、上記［１６］記載の装置。
［１９］
ロケーションサービスを取得する方法において、
第１のネットワークエンティティによって、ユーザ装置（ＵＥ）に送られた第１のメッセージを受信することと、
前記ＵＥから前記第１のネットワークエンティティに、ルーティング識別子（ＩＤ）を含む第２のメッセージを送ることとを含み、
前記第１のメッセージは、前記ＵＥにロケーションサービスを提供するために、前記第１のネットワークエンティティと、第２のネットワークエンティティとの間のロケーションセッションに関係するルーティングＩＤを含み、
前記ルーティングＩＤは、前記ＵＥによって、前記第２のメッセージ中に含められ、前記第２のメッセージを、前記第１および第２のネットワークエンティティの間のロケーションセッションに関係付けするために、前記第１のネットワークエンティティによって使用される方法。
［２０］
前記ＵＥから前記第１のネットワークエンティティに対する第１のＩＤを含む、モバイル始端ロケーション要求（ＭＯ−ＬＲ）要求メッセージを送ることをさらに含み、前記ルーティングＩＤは、前記第１のＩＤに基づいて決定される、上記［１９］記載の方法。
［２１］
前記第１のネットワークエンティティからのモバイル終端ロケーション要求（ＭＴ−ＬＲ）に対するプライバシー通知メッセージを受信することをさらに含み、前記プライバシー通知メッセージは、前記ルーティングＩＤを含む、上記［１９］記載の方法。
［２２］
前記第１および第２のメッセージは、前記ＵＥのためのロケーションサービスに関する少なくとも１つのメッセージを転送する、非アクセス層（ＮＡＳ）メッセージを含む、上記［１９］記載の方法。
［２３］
前記第１のネットワークエンティティは、モビリティ管理エンティティ（ＭＭＥ）を含み、前記第２のネットワークエンティティは、前記発展型担当移動体ロケーションセンター（Ｅ−ＳＭＬＣ）を含む、上記［１９］記載の方法。
［２４］
ロケーションサービスを取得する装置において、
第１のネットワークエンティティによって、ユーザ装置（ＵＥ）に送られた第１のメッセージを受信する手段と、
前記ＵＥから前記第１のネットワークエンティティに、ルーティング識別子（ＩＤ）を含む第２のメッセージを送る手段とを具備し、
前記第１のメッセージは、前記ＵＥにロケーションサービスを提供するために、前記第１のネットワークエンティティと、第２のネットワークエンティティとの間のロケーションセッションに関係するルーティングＩＤを含み、
前記ルーティングＩＤは、前記ＵＥによって、前記第２のメッセージ中に含められ、前記第２のメッセージを、前記第１および第２のネットワークエンティティの間のロケーションセッションに関係付けするために、前記第１のネットワークエンティティによって使用される、装置。
［２５］
前記ＵＥから前記第１のネットワークエンティティに対する第１のＩＤを含む、モバイル始端ロケーション要求（ＭＯ−ＬＲ）要求メッセージを送る手段をさらに具備し、前記ルーティングＩＤは、前記第１のＩＤに基づいて決定される、上記［２４］記載の装置。
［２６］
前記第１のネットワークエンティティからのモバイル終端ロケーション要求（ＭＴ−ＬＲ）に対するプライバシー通知メッセージを受信する手段をさらに具備し、前記プライバシー通知メッセージは、前記ルーティングＩＤを含む、上記［２４］記載の装置。
［２７］
ロケーションサービスをサポートする方法において、
前記第１のネットワークエンティティと、第２のネットワークエンティティとの間のロケーションセッションに関係するルーティング識別子（ＩＤ）を決定して、ユーザ装置（ＵＥ）にロケーションサービスを提供することと、
前記第１のネットワークエンティティから前記ＵＥに、前記ルーティングＩＤを含む第１のメッセージを送ることと、
前記ルーティング識別子ＩＤを含む、前記ＵＥからの第２のメッセージを、前記第１のネットワークエンティティにおいて受信することと、
前記第２のメッセージ中に含められた前記ルーティングＩＤに基づいて、前記ＵＥからの第２のメッセージを、前記第１および第２のネットワークエンティティの間のロケーションセッションに関係付けすることとを含む方法。
［２８］
前記ルーティングＩＤを決定することは、前記第１のネットワークエンティティによって、前記ルーティングＩＤを割り当てることを含む、上記［２７］記載の方法。
［２９］
前記ルーティングＩＤを決定することは、
前記ＵＥからのモバイル始端ロケーション要求（ＭＯ−ＬＲ）に対する第１のＩＤを受信することと、
前記第１のＩＤに基づいて、前記第１のネットワークエンティティによって、ルーティングＩＤを割り当てることとを含む、上記［２７］記載の方法。
［３０］
モバイル終端ロケーション要求（ＭＴ−ＬＲ）に対するルーティングＩＤを含む、プライバシー通知メッセージを、前記ＵＥに送ることをさらに含む、上記［２７］記載の方法。
［３１］
前記ロケーションセッションに関して、前記第２のネットワークエンティティによって、前記第１のネットワークエンティティに対して送られた第３のメッセージを受信することと、
前記ロケーションセッションに関して、前記第１のネットワークエンティティから、前記第２のネットワークエンティティに対して、第４のメッセージを送ることとをさらに含み、
前記第１のメッセージは、前記第３のメッセージの受信に応答して送られ、前記第４のメッセージは、前記第２のメッセージの受信に応答して送られる、上記［２７］記載の方法。
［３２］
前記第１および第２のネットワークエンティティの間で交換される、前記第３および第４のメッセージは、前記ロケーションセッションに関係する別のＩＤまたはルーティングＩＤのいずれかを含む、上記［３１］記載の方法。
［３３］
前記第１のネットワークエンティティは、モビリティ管理エンティティ（ＭＭＥ）を含み、前記第２のネットワークエンティティは、発展型担当移動体ロケーションセンター（Ｅ−ＳＭＬＣ）を含む、上記［２７］記載の方法。
［３４］
前記第１および第２のメッセージは、前記ＵＥのためのロケーションサービスに関する少なくとも１つのメッセージを転送する非アクセス層（ＮＡＳ）メッセージを含む、上記［２７］記載の方法。
［３５］
ロケーションサービスをサポートする装置において、
前記第１のネットワークエンティティと、第２のネットワークエンティティとの間のロケーションセッションに関係するルーティングＩＤを決定して、ユーザ装置（ＵＥ）にロケーションサービスを提供する手段と、
前記第１のネットワークエンティティから前記ＵＥに、前記ルーティングＩＤを含む第１のメッセージを送る手段と、
ルーティング識別子（ＩＤ）を含む、前記ＵＥからの第２のメッセージを、前記第１のネットワークエンティティにおいて受信する手段と、
前記第２のメッセージ中に含められた前記ルーティングＩＤに基づいて、前記ＵＥからの第２のメッセージを、前記第１および第２のネットワークエンティティの間のロケーションセッションに関係付けする手段とを具備する装置。
［３６］
前記ルーティングＩＤを決定する手段は、前記第１のネットワークエンティティによって、前記ルーティングＩＤを割り当てる手段を備える、上記［３５］記載の装置。
［３７］
前記ルーティングＩＤを決定する手段は、
前記ＵＥからのモバイル始端ロケーション要求（ＭＯ−ＬＲ）に対する第１のＩＤを受信する手段と、
前記第１のＩＤに基づいて、前記第１のネットワークエンティティによって、ルーティングＩＤを割り当てる手段とを備える、上記［３５］記載の装置。
［３８］
モバイル終端ロケーション要求（ＭＴ−ＬＲ）に対するルーティングＩＤを含む、プライバシー通知メッセージを、前記ＵＥに送る手段をさらに具備する、上記［３５］記載の装置。
［３９］
前記ロケーションセッションに関して、前記第２のネットワークエンティティによって、前記第１のネットワークエンティティに対して送られた第３のメッセージを受信する手段と、
前記ロケーションセッションに関して、前記第１のネットワークエンティティから、前記第２のネットワークエンティティに対して、第４のメッセージを送る手段とをさらに具備し、
前記第１のメッセージは、前記第３のメッセージの受信に応答して送られ、前記第４のメッセージは、前記第２のメッセージの受信に応答して送られる、上記［３５］記載の装置。
【外国語明細書】
2015222963000001.pdf